(57)【要約】【課題】  電力制御デバイスを提供する。【解決手段】  電気接続部と、受信機モジュールと、電子スイッチと、半透明筐体と、発光素子とを備える制御可能な電球を提供する。電気接続部は、電力信号を受信する。受信機モジュールは、電気接続部を介して受信する電力信号によって電力を供給され、電力信号のオン／オフ変調に基づいて制御パラメータを決定する。受信機モジュールは、電力信号がオンの間に制御パラメータに基づいて制御信号を生成する。電子スイッチは、出力電力信号を出力し、制御信号に基づいて出力電力信号を低減する。半透明筐体は、発光素子を収納する。発光素子は、出力電力信号を受信する。【選択図】  図３【特許請求の範囲】
【請求項１】
制御可能な電球であって、
電力信号を受信する、前記制御可能な電球の電気接続部と、
前記電気接続部を介して受信する前記電力信号によって電力を供給され、前記電力信号のオン／オフ変調に基づいて制御パラメータを決定し、前記電力信号がオンの間に前記制御パラメータに基づいて制御信号を生成する、前記制御可能な電球の受信機モジュールと、
出力電力信号を出力し、前記制御信号に基づいて前記出力電力信号を低減する、前記制御可能な電球の電子スイッチと、
前記制御可能な電球の半透明筐体と、
前記半透明筐体内に収納され、前記出力電力信号を受信する、前記制御可能な電球の発光素子と
を備える制御可能な電球。
【請求項２】
前記オン／オフ変調は、所定の時間にわたる、前記電力信号の存在および前記電力信号の不在のうち一方のカウントを含む
請求項１に記載の制御可能な電球。
【請求項３】
前記オン／オフ変調は、周期的なサンプリング間隔で取得されるバイナリデータを含み、
第１のバイナリ状態は前記電力信号の存在に対応し、第２のバイナリ状態は前記電力信号の不在に対応する
請求項１に記載の制御可能な電球。
【請求項４】
前記オン／オフ変調は、前記電力信号の存在および前記電力信号の不在のうち一方の期間によって決まるバイナリデータを含み、
第１のバイナリ状態は所定の長さよりも短い期間に対応し、第２のバイナリ状態は前記所定の長さよりも長い期間に対応する
請求項１に記載の制御可能な電球。
【請求項５】
前記受信機モジュールは、前記オン／オフ変調がプログラミング開始シーケンスを示した後で、前記制御パラメータを決定する
請求項１に記載の制御可能な電球。
【請求項６】
前記プログラミング開始シーケンスは、所定の時間内に実行される所定のオン／オフシーケンスを含む
請求項５に記載の制御可能な電球。
【請求項７】
前記電子スイッチは、前記制御信号を受信すると、前記出力電力信号を略ゼロまで低減する
請求項１に記載の制御可能な電球。
【請求項８】
前記電子スイッチは、前記制御信号を受信すると、前記出力電力信号を調光値まで低減する
請求項１に記載の制御可能な電球。
【請求項９】
前記受信機モジュールは、電力ラインキャリア受信機モジュールを有しており、
前記電力ラインキャリア受信機モジュールは、前記電力信号に基づいてデータを受信し、第１のアドレスに対応付けられており、前記第１のアドレスおよびグローバルアドレスのうち一方にアドレス指定されたコマンドを受け入れて、
前記制御パラメータは前記第１のアドレスを含み、前記受信機モジュールは前記データに基づいて前記制御信号を生成する
請求項１に記載の制御可能な電球。
【請求項１０】
前記電力ラインキャリア受信機モジュールは、前記オン／オフ変調に基づく動作を実行する
請求項９に記載の制御可能な電球。
【請求項１１】
前記動作は、アドレスリセット動作、アドレス更新動作、接続ブロードキャスト動作、および、アドレス送信動作のうち少なくとも１つである
請求項１０に記載の制御可能な電球。
【請求項１２】
前記受信機モジュールはさらに、前記電力信号が受信された後でカウントを開始するタイミングモジュールを有し、
前記制御パラメータは、所定の値を含み、
前記受信機モジュールは、前記タイミングモジュールが前記所定の値に到達すると、前記制御信号を生成する
請求項１に記載の制御可能な電球。
【請求項１３】
前記受信機モジュールは、プログラミングモードが開始された後に前記電力信号がオンとなっている期間の長さに基づいて前記所定の値を設定する
請求項１２に記載の制御可能な電球。
【請求項１４】
前記受信機モジュールは、前記タイマモジュールが前記所定の値に到達する前に前記電力信号がオフに制御されると、前記所定の値を小さくする
請求項１２に記載の制御可能な電球。
【請求項１５】
前記受信機モジュールは、前記タイマモジュールが前記所定の値に到達した後の所定の期間内に、前記電力信号がオフ−オンの順に制御されると、前記所定の値を大きくする
請求項１４に記載の制御可能な電球。
【請求項１６】
前記受信機モジュールは、前記タイマモジュールが前記所定の値に到達する前に、所定の期間内で前記電力信号がオフ−オン−オフの順に制御されると、前記所定の値を小さくする
請求項１２に記載の制御可能な電球。
【請求項１７】
前記受信機モジュールは、前記タイマモジュールが前記所定の値に到達した後の所定の期間内に、前記電力信号がオフ−オン−オフ−オンの順に制御されると、前記所定の値を大きくする
請求項１６に記載の制御可能な電球。
【請求項１８】
前記電気接続部は、伝導性の雄ネジ部および伝導性の端部を有する
請求項１に記載の制御可能な電球。
【請求項１９】
前記発光素子は、金属フィラメントを有する
請求項１に記載の制御可能な電球。
【請求項２０】
制御可能な電球アダプタであって、
照明固定器具から電力信号を受信する、前記制御可能な電球アダプタの第１の電気接続部と、
前記第１の電気接続部を介して受信する前記電力信号によって電力を供給され、前記電力信号のオン／オフ変調に基づいて制御パラメータを決定し、前記電力信号がオンの間に前記制御パラメータに基づいて制御信号を選択的に生成する、前記制御可能な電球アダプタの受信機モジュールと、
出力電力信号を出力し、前記制御信号に基づいて前記出力電力信号を低減する、前記制御可能な電球アダプタの電子スイッチと、
電球が挿入されており、前記電球に前記出力電力信号を与える、前記制御可能な電球アダプタの第２の電気接続部と
を備える制御可能な電球アダプタ。
【請求項２１】
制御可能な照明固定器具であって、
電力信号を受信する、前記制御可能な照明固定器具の第１の電気接続部と、
前記第１の電気接続部を介して受信する前記電力信号によって電力を供給され、前記電力信号のオン／オフ変調に基づいて制御パラメータを決定し、前記電力信号がオンの間に前記制御パラメータに基づいて制御信号を選択的に生成する、前記制御可能な照明固定器具の受信機モジュールと、
出力電力信号を出力し、前記制御信号に基づいて前記出力電力信号を低減する、前記制御可能な照明固定器具の電子スイッチと、
電球が挿入されており、前記電球に前記出力電力信号を与える、前記制御可能な照明固定器具の第２の電気接続部と
を備える制御可能な照明固定器具。
【請求項２２】
制御可能な電球アダプタであって、
照明固定器具から電力信号を受信する、前記制御可能な電球アダプタの第１の電気接続部と、
前記第１の電気接続部を介して受信する前記電力信号によって電力を供給され、前記電力信号のオン／オフ変調に基づいて制御パラメータを決定し、前記電力信号がオンの間に前記制御パラメータに基づいて制御信号を選択的に生成する、前記制御可能な電球アダプタの受信機モジュールと、
出力電力信号を出力し、前記制御信号に基づいて前記出力電力信号を低減する、前記制御可能な電球アダプタの電子スイッチと、
電球が挿入されており、前記電球に前記出力電力信号を与える、前記制御可能な電球アダプタの第２の電気接続部と
を備える制御可能な電球アダプタ。
【請求項２３】
負荷の電力消費を調節する制御可能なデバイスについての制御データを生成する制御モジュールと、
周期的な電力信号を受信し、前記制御可能なデバイスに対して前記周期的な電力信号に基づいて出力電力信号を送信し、前記周期的な電力信号のゼロクロス点同士の間で、前記出力電力信号の信号振幅および電力レベルのうち少なくとも一方を選択的に低減することによって、前記出力電力信号に前記制御データを符号化する、欠落パルス送信機と
を備えるマスターコントローラ。
【請求項２４】
第１の電力信号を受信し、前記第１の電力信号のゼロクロス点同士の間での、前記第１の電力信号の信号振幅および電力レベルのうち少なくとも一方の減少を検出することによって、前記第１の電力信号内の制御データを復号する、欠落パルス受信機と、
前記制御データを格納し、前記制御データに基づいて制御信号を生成する、制御モジュールと、
前記第１の電力信号および前記制御信号に基づいて、負荷に対する負荷電力信号を調整するスイッチと
を備える、制御可能なデバイス。
【請求項２５】
負荷の電力消費を調整する制御可能なデバイスについて、タイマ値および電力レベル値のうち少なくとも一方を含むプログラミングデータを生成する制御モジュールと、
周期的な電力信号を受信し、前記制御可能なデバイスに対して前記周期的な電力信号に基づいて出力電力信号を送信して、前記周期的な電力信号のゼロクロス点同士の間で、前記出力電力信号の信号振幅および電力レベルのうち少なくとも一方を選択的に低減することによって、前記出力電力信号に前記プログラミングデータを符号化する欠落パルス送信機と
を備える、取り付けプログラマ。
【発明の詳細な説明】
【関連出願】
【０００１】
本願は、米国仮特許出願第６０／９３８，５５０号（出願日：２００７年５月１７日）、第６０／８９０，３３７号（出願日：２００７年２月１６日）、第６０／８８２，７５７号（出願日：２００６年１２月２９日）、第６０／８７１，４８３号（出願日：２００６年１２月２２日）による恩恵を主張する。上記の仮特許出願の開示内容はすべて、参照により本願に組み込まれる。
【技術分野】
【０００２】
本開示は、照明システムに関し、特に照明システムの制御に関する。
【背景技術】
【０００３】
本明細書における「背景技術」の説明は、本開示内容がどのような状況の中で考案されているのかを概して説明するためになされる。現時点において名前が挙げられている発明者による研究は、この「背景技術」部分で説明されている範囲内において、説明されていなければ出願時において先行技術としての基準を満たすものでない「背景技術」部分の内容と同様に、本開示内容に対する先行技術として、明示または黙示を問わず、認められない。
【０００４】
図１は、照明システムの機能ブロック図である。サービスパネル１０２は、スイッチ１０４と通信している。スイッチ１０４は、照明固定器具１０６と通信している。電球１０８は、照明固定器具１０６と通信している。スイッチ１０４は、サービスパネル１０２からの電流を、照明固定器具１０６を介して電球１０８に選択的に流入させる。電球１０８をオンおよびオフに制御するためには、スイッチ１０４を作動させなければならない。
【０００５】
電球１０８を遠隔制御する場合、スイッチ１０４の代わりに電力ラインキャリアスイッチを用いてよい。この場合、電球１０８は、例えば家全体照明オフコマンドによって、ローカル且つリモートにオンおよびオフに制御され得る。しかし、スイッチ１０４を取り替えるには、最大線間電圧を通常伝播しているワイヤの工事が必要となる。スイッチ１０４を取り替えるために多くの住宅所有者は電気技師を頼む必要があり、多額の出費を余儀なくされる。また、新しいスイッチは古いスイッチ１０４とスタイルが合うものでなければならず、壁面プレートも新しいものを購入して取り付ける必要がある。
【発明の概要】
【課題を解決するための手段】
【０００６】
電気接続部と、受信機モジュールと、電子スイッチと、半透明筐体と、発光素子とを備える制御可能な電球を提供する。電気接続部は、電力信号を受信する。受信機モジュールは、電気接続部を介して受信する電力信号によって電力を供給され、電力信号のオン／オフ変調に基づいて制御パラメータを決定する。受信機モジュールは、電力信号がオンの間に制御パラメータに基づいて制御信号を生成する。電子スイッチは、出力電力信号を出力し、制御信号に基づいて出力電力信号を低減する。半透明筐体は、発光素子を収納する。発光素子は、出力電力信号を受信する。
【０００７】
その他の特徴を挙げると、オン／オフ変調は、所定の時間にわたる、電力信号の存在および電力信号の不在のうち一方のカウントを含む。オン／オフ変調は、周期的なサンプリング間隔で取得されるバイナリデータを含み、第１のバイナリ状態は電力信号の存在に対応し、第２のバイナリ状態は電力信号の不在に対応する。オン／オフ変調は、電力信号の存在および電力信号の不在のうち一方の期間によって決まるバイナリデータを含み、第１のバイナリ状態は所定の長さよりも短い期間に対応し、第２のバイナリ状態は所定の長さよりも長い期間に対応する。
【０００８】
さらに特徴を挙げると、受信機モジュールは、オン／オフ変調がプログラミング開始シーケンスを示した後で、制御パラメータを決定する。プログラミング開始シーケンスは、所定の時間内に実行される所定のオン／オフシーケンスを含む。電子スイッチは、制御信号を受信すると、出力電力信号を略ゼロまで低減する。電子スイッチは、制御信号を受信すると、出力電力信号を調光値まで低減する。調光値は、電力信号よりも小さい。
【０００９】
また別の特徴を挙げると、受信機モジュールは、電力ラインキャリア受信機モジュールを有しており、電力ラインキャリア受信機モジュールは、電力信号に基づいてデータを受信し、第１のアドレスに対応付けられており、第１のアドレスおよびグローバルアドレスのうち一方にアドレス指定されたコマンドを受け入れる。制御パラメータは第１のアドレスを含み、受信機モジュールはデータに基づいて制御信号を生成する。電力ラインキャリア受信機モジュールは、オン／オフ変調に基づく動作を実行する。動作は、アドレスリセット動作、アドレス更新動作、接続ブロードキャスト動作、および、アドレス送信動作のうち少なくとも１つである。
【００１０】
他の特徴を挙げると、受信機モジュールはさらに、電力信号が受信された後でカウントを開始するタイミングモジュールを有する。制御パラメータは、所定の値を含む。受信機モジュールは、タイミングモジュールが所定の値に到達すると、制御信号を生成する。受信機モジュールは、プログラミングモードが開始された後に電力信号がオンとなっている期間の長さに基づいて所定の値を設定する。受信機モジュールは、タイマモジュールが所定の値に到達する前に電力信号がオフに制御されると、所定の値を小さくする。
【００１１】
さらに特徴を挙げると、受信機モジュールは、タイマモジュールが所定の値に到達した後の所定の期間内に、電力信号がオフ−オンの順に制御されると、所定の値を大きくする。受信機モジュールは、タイマモジュールが所定の値に到達する前に、所定の期間内で電力信号がオフ−オン−オフに制御されると、所定の値を小さくする。受信機モジュールは、タイマモジュールが所定の値に到達した後の所定の期間内に、電力信号がオフ−オン−オフ−オンに制御されると、所定の値を大きくする。電気接続部は、伝導性の雄ネジ部および伝導性の端部を有する。発光素子は、金属フィラメントを有する。
【００１２】
電力信号を受信する電気接続手段と、電気接続手段を介して受信する電力信号によって電力を供給され、電力信号のオン／オフ変調に基づいて制御パラメータを決定し、電力信号がオンの間に制御パラメータに基づいて制御信号を生成する受信手段と、出力電力信号を出力し、制御信号に基づいて出力電力信号を低減する電子スイッチ手段と、出力電力信号を受信し、光を生成する発光手段と、発光手段を収納する半透明筐体とを備える制御可能な電球を提供する。
【００１３】
制御可能な照明固定器具は、第１の電気接続部と、受信機モジュールと、電子スイッチと、第２の電気接続部とを備える。第１の電気接続部は、電力信号を受信する。受信機モジュールは、第１の電気接続部を介して受信する電力信号によって電力を供給され、電力信号のオン／オフ変調に基づいて制御パラメータを決定し、電力信号がオンの間に制御パラメータに基づいて制御信号を選択的に生成する。電子スイッチは、出力電力信号を出力し、制御信号に基づいて出力電力信号を低減する。第２の電気接続部は、電球が挿入されており、電球に出力電力信号を与える。
【００１４】
電気接続部と、受信機モジュールと、電子スイッチと、半透明筐体と、発光素子とを備える制御可能な電球を提供する。電気接続部は、電力信号を受信する。受信機モジュールは、電気接続部を介して受信する電力信号によって電力を供給され、電力信号がオンの間に制御信号を選択的に生成する。電子スイッチは、出力電力信号を出力し、制御信号に基づいて出力電力信号を低減する。半透明筐体は、発光素子を収納する。発光素子は、出力電力信号を受信する。
【００１５】
マスターコントローラは、制御モジュールと、欠落パルス送信機とを備える。制御モジュールは、負荷の電力消費を調節する制御可能なデバイスについての制御データを生成する。欠落パルス送信機は、周期的な電力信号を受信し、制御可能なデバイスに対して周期的な電力信号に基づいて出力電力信号を送信し、周期的な電力信号のゼロクロス点同士の間で、出力電力信号の信号振幅および電力レベルのうち少なくとも一方を選択的に低減することによって、出力電力信号に制御データを符号化する。
【００１６】
第１の電力信号を受信し、第１の電力信号のゼロクロス点同士の間での、第１の電力信号の信号振幅および電力レベルのうち少なくとも一方の減少を検出することによって、第１の電力信号内の制御データを復号する、欠落パルス受信機と、制御データを格納し、制御データに基づいて制御信号を生成する、制御モジュールと、第１の電力信号および制御信号に基づいて、負荷に対する負荷電力信号を調整するスイッチとを備える制御可能なデバイスを提供する。
【００１７】
負荷の電力消費を調整する制御可能なデバイスについて、タイマ値および電力レベル値のうち少なくとも一方を含むプログラミングデータを生成する制御モジュールと、周期的な電力信号を受信し、前記制御可能なデバイスに対して前記周期的な電力信号に基づいて出力電力信号を送信して、前記周期的な電力信号のゼロクロス点同士の間で、前記出力電力信号の信号振幅および電力レベルのうち少なくとも一方を選択的に低減することによって、前記出力電力信号に前記プログラミングデータを符号化する欠落パルス送信器とを備える、取り付けプログラマを提供する。
【００１８】
本開示はさらに異なる分野でも応用が可能であり、そのような分野は以下の詳細な説明から明らかとなる。本開示の好ましい実施形態を説明するためのものとして、詳細な記載および具体的な例を挙げるが、これらは説明を目的としたものに過ぎず本開示の範囲を限定するものではないと理解されたい。
【図面の簡単な説明】
【００１９】
本開示は、以下の詳細な説明および添付図面により、より明らかとなる。添付図面は以下の通りである。
【００２０】
【図１】先行技術に係る照明システムを示す機能ブロック図である。
【００２１】
【図２】本開示の原理に係る電気照明システムの一例を示す機能ブロック図である。
【図３】本開示の原理に係る電気照明システムの一例を示す機能ブロック図である。
【図４】本開示の原理に係る電気照明システムの一例を示す機能ブロック図である。
【図５】本開示の原理に係る電気照明システムの一例を示す機能ブロック図である。
【００２２】
【図６】本開示の原理に係る制御可能な電球の一例を示す機能ブロック図である。
【００２３】
【図７】本開示の原理に係る制御可能なアダプタの一例を示す機能ブロック図である。
【００２４】
【図８】本開示の原理に係る制御可能な固定器具の一例を示す機能ブロック図である。
【００２５】
【図９】本開示の原理に係るコントローラの一例を示す機能ブロック図である。
【図１０】本開示の原理に係るコントローラの一例を示す機能ブロック図である。
【図１１】本開示の原理に係るコントローラの一例を示す機能ブロック図である。
【図１２】本開示の原理に係るコントローラの一例を示す機能ブロック図である。
【図１３】本開示の原理に係るコントローラの一例を示す機能ブロック図である。
【図１４】本開示の原理に係るコントローラの一例を示す機能ブロック図である。
【図１５】本開示の原理に係るコントローラの一例を示す機能ブロック図である。
【図１６】本開示の原理に係るコントローラの一例を示す機能ブロック図である。
【図１７】本開示の原理に係るコントローラの一例を示す機能ブロック図である。
【図１８】本開示の原理に係るコントローラの一例を示す機能ブロック図である。
【００２６】
【図１９】本開示の原理に係るプログラミングモジュールの一例を示す機能ブロック図である。
【図２０】本開示の原理に係るプログラミングモジュールの一例を示す機能ブロック図である。
【００２７】
【図２１】電力供給の有無の順序および対応付けられている命令を示す表を複数、例として、挙げている図である。
【００２８】
【図２２】プログラミングモジュールでプログラミングを開始する際にユーザが実行するステップの一例を示すフローチャートである。
【００２９】
【図２３】ユーザによるプログラミングの入力を可能とする場合のプログラミングモジュールの動作の一例を示すフローチャートである。
【００３０】
【図２４】ユーザが実行するプログラミング動作の一例を示すフローチャートである。
【図２５】ユーザが実行するプログラミング動作の一例を示すフローチャートである。
【図２６】ユーザが実行するプログラミング動作の一例を示すフローチャートである。
【００３１】
【図２７】図２６に示したプログラミング動作を実装するプログラミングモジュールの一例を示す概略機能図である。
【００３２】
【図２８】ユーザによるプログラミングの入力を可能とする場合のプログラミングモジュールの動作の一例を示すフローチャートである。
【図２９】ユーザによるプログラミングの入力を可能とする場合のプログラミングモジュールの動作の一例を示すフローチャートである。
【００３３】
【図３０】本開示の原理に係るプログラム可能な負荷制御システムの一例を示す機能ブロック図である。
【図３０Ａ】本開示の原理に係るプログラム可能な負荷制御システムの一例を示す機能ブロック図である。
【図３０Ｂ】本開示の原理に係るプログラム可能な負荷制御システムの一例を示す機能ブロック図である。
【００３４】
【図３１Ａ】本開示の原理に係る欠落パルス送信を示す図である。
【図３１Ｂ】本開示の原理に係る欠落パルス送信を示す図である。
【図３１Ｃ】本開示の原理に係る欠落パルス送信を示す図である。
【図３１Ｄ】本開示の原理に係る欠落パルス送信を示す図である。
【００３５】
【図３２】本開示の原理に係るユーザインターフェースの一例を示す図である。
【００３６】
【図３３Ａ】本開示の原理に係るパラメータ制御モジュールの一例を示す機能ブロック図である。
【図３３Ｂ】本開示の原理に係るパラメータ制御モジュールの一例を示す機能ブロック図である。
【図３３Ｃ】本開示の原理に係るパラメータ制御モジュールの一例を示す機能ブロック図である。
【００３７】
【図３４Ａ】本開示の原理に係る欠落パルス送信機の配線構造の一例を示す機能ブロック図である。
【図３４Ｂ】本開示の原理に係る欠落パルス送信機の一例を示す機能ブロック図である。
【００３８】
【図３５Ａ】本開示の原理に係る欠落パルス送信機の配線構造の一例を示す機能ブロック図である。
【図３５Ｂ】本開示の原理に係る欠落パルス送信機の一例を示す機能ブロック図である。
【００３９】
【図３６Ａ】本開示の原理に係る制御可能デバイスの一例を示す機能ブロック図である。
【図３６Ｂ】本開示の原理に係る制御可能デバイスの一例を示す機能ブロック図である。
【００４０】
【図３７】本開示の原理に係るデバイス制御モジュールの一例を示す機能ブロック図である。
【００４１】
【図３８】本開示の原理に係る取り付けプログラマの一例を示す機能ブロック図である。
【発明を実施するための形態】
【００４２】
以下の説明は、本質的に例示に過ぎず、本開示、その用途または利用を限定するものでは決してない。本開示を明確に説明するべく、類似の構成要素を図中で指定する際には複数の図面にわたって同一の参照番号を使用する。本明細書で使用する場合、「Ａ、ＢおよびＣのうち少なくとも１つ」という表現は、論理演算（ＡまたはＢまたはＣ）、非排他的論理ＯＲを意味すると解釈されたい。尚、方法が含むステップは、本開示の原則を変更することなく、別の順序に従って実行され得る。
【００４３】
本明細書で使用する場合、モジュールという用語は、１以上のソフトウェアまたはファームウェアプログラムを実行する特定用途集積回路（ＡＳＩＣ）、電子回路、プロセッサ（共有、専用または群）およびメモリ、組み合わせ論理回路、および／または本明細書で記載する機能を提供する上記以外の適切な構成要素を指すものとする。
【００４４】
図２は、電気照明システムの一例を示す機能ブロック図である。サービスパネル２０２は、配電ライン２０３を介してスイッチ２０４と通信する。スイッチ２０４は、壁面スイッチ、トグルスイッチ、ロッカースイッチ、ディマースイッチ、またはその他の任意の適切なスイッチであってよい。スイッチ２０４は、照明固定器具２０６への電力の流れを制御する。制御可能な電球２０８が、照明固定器具２０６と通信する。
【００４５】
制御可能な電球２０８は、制御信号を受信する受信機を有するとしてよい。制御信号には、配電ライン２０３を介して受信される有線信号、および／または、無線周波数（ＲＦ）ブロードキャストを介して受信される無線信号が含まれるとしてよい。制御信号は、制御可能な電球２０８に対して、光出力を増減するよう指示するとしてよい。
【００４６】
さまざまな実施例によると、制御可能な電球２０８は、所定の時間が経過すると光をオフに制御するタイマを有するとしてよい。タイマの長さは、製造時にプログラムされるとしてもよいし、取り付け時に設定されるとしてもよいし、および／または、取り付け後にユーザが変更するとしてもよい。さらに詳細に後述するように、ユーザは、電力ライン送信機および／または無線周波数（ＲＦ）送信機を用いて制御信号を送信することによって、および／または、スイッチ２０４を変更することによって、タイマの動作を変更し得る。
【００４７】
標準的な電球の代わりに制御可能な電球２０８を用いると、照明固定器具２０６の動作を自動化することができ、電気技師がスイッチ２０４を交換する必要はない。制御可能な電球が実現する自動化の水準には、時限消灯、家全体消灯、コンピュータによる照明制御、および／または、ウェブからの照明制御等があるとしてよい。本開示の原理は、三路スイッチまたは四路スイッチを備える構造でも同様の効果を奏する。
【００４８】
図３は、電気照明システムの別の例を示す機能ブロック図である。電力ラインキャリア制御モジュール２５０は、配電ライン２０３またはサービスパネル２０２と通信している別の配電ライン（不図示）と通信する。電力ラインキャリア制御モジュール２５０は、配電ライン２０３に制御信号を重畳する。制御可能な電球２５２は、スイッチ２０４および照明固定器具２０６を介して、制御信号を受信する。
【００４９】
電力ラインキャリア制御モジュール２５０は、制御可能な電球２５２等の１以上の光源からの光出力をユーザに増減させるための、ユーザインターフェースを有するとしてよい。電力ラインキャリア制御モジュール２５０はさらに、ノート型コンピュータ、携帯情報端末（ＰＤＡ）、および／または、携帯電話等の携帯可能デバイス２５４と通信するとしてよい。携帯可能デバイス２５４は、有線ネットワークまたは無線ネットワークを介して、電力ラインキャリア制御モジュール２５０に照明コマンドを送るとしてよい。有線ネットワークまたは無線ネットワークの例を挙げると、有線イーサネット（登録商標）、または、ＩＥＥＥ８０２．１１、８０２．１１ａ、８０２．１１ｂ、８０２．１１ｇ、８０２．１１ｈ、８０２．１１ｎ、８０２．１６、８０２．２０および／またはＢｌｕｅｔｏｏｔｈ（登録商標）等の無線インターフェースがある。
【００５０】
図４は、電気照明システムの別の例を示す機能ブロック図である。サービスパネル２０２は、配電ライン２０３を介してスイッチ２０４と通信する。スイッチ２０４は、制御可能な照明固定器具３００と通信している。電球３０２は、制御可能な照明固定器具３００と通信している。制御可能な照明固定器具３００によって、スイッチ２０４を手作業で作動させることなく、光出力を制御できるようになる。
【００５１】
従来の照明固定器具を制御可能な照明固定器具３００に取り替えると、標準規格の電球、例えば電球３０２を利用することができる。電球３０２ならびに制御可能な電球２０８および２５２は、白熱灯、ハロゲン電球、蛍光灯、発光ダイオード、および／または、その他の適切な発光素子を含むとしてよい。
【００５２】
図５は、電気照明システムの別の例を示す機能ブロック図である。説明の便宜上、図２から図４で使用した参照番号を用いて同様の構成要素を特定する。サービスパネル２０２は、配電ライン２０３を介してスイッチ２０４と通信する。
【００５３】
スイッチ２０４は、照明固定器具２０６と通信する。制御可能なアダプタ３５０は、照明固定器具２０６と電球３０２との間に取り付けられる。例えば、制御可能なアダプタ３５０は、照明固定器具２０６と係合する雄部分と、電球３０２と係合する雌部分とを有するとしてよい。スイッチ２０４および照明固定器具２０６はどちらも、交換する必要がない。また、標準規格の電球、例えば電球３０２を利用してよい。
【００５４】
図６は、制御可能な電球４００の一例を示す機能ブロック図である。制御可能な電球４００は、図２に示した制御可能な電球２０８としても利用可能だが、発光素子４０２と、コントローラ４０４と、電子スイッチ４０６とを備える。発光素子４０２は、ハロゲン電球または白熱電球のフィラメントと同様のフィラメントを有するとしてよい。発光素子４０２はさらに、蛍光電球および／または小型蛍光電球を有するとしてよく、内蔵型バラストを有するとしてよい。
【００５５】
発光素子４０２は、１以上の発光ダイオード（ＬＥＤ）を有するとしてよい。発光素子４０２および／または制御可能な電球４００のその他の構成要素は、半透明の筐体４０８の内部に収納されるとしてよい。筐体４０８は、気密性で、ガラスおよび／またはプラスチック等の材料で形成されるとしてよい。コントローラ４０４は、第１および第２の供給ラインまたは導体を介して、電力をやり取りするとしてよい。
【００５６】
例えば、第１および第２の供給ラインは、電力およびグラウンド、第１および第２の線間電圧（三相システムと同様）、ならびに／または、その他の適切な電源電位および／または参照電位を与えるとしてよい。さまざまな実施例によると、制御可能な電球４００は、第１および第２の供給ラインのうち一方と通信する伝導性雄ネジ部と、第１および第２の供給ラインのうち他方と通信する伝導性端部とを備えるとしてよい。
【００５７】
コントローラ４０４は、より詳細に後述するように、電子スイッチ４０６用の制御信号を生成する。制御信号に応じて、電子スイッチ４０６は、第１供給ラインからの電流を発光素子４０２へと選択的に通過させる。これに代えて、電子スイッチ４０６は、発光素子４０２の反対側に配置されて、第２供給ラインに選択的に電流を流してもよい。さまざまな実施例によると、電子スイッチ４０６は、パワートランジスタ、トライアック（ｔｒｉａｃ）、シリコン制御整流器（ＳＣＲ）またはその他の適切なデバイスを含むとしてよい。
【００５８】
電子スイッチ４０６は、調光機能を有するとしてよい。例えば、制御信号に応じて、電子スイッチ４０６は、発光素子に供給される電力について、電圧の低減、波形の変更、および／または周波数の変更を実行するとしてよい。電子スイッチ４０６は、調光機能を実現するべく、ＡＣ電力信号の各サイクルの一部分の間、オフに切り替えるための切り替え回路を有するとしてよい。電子スイッチ４０６は、ＤＣ電力を生成するべく整流器を有するとしてよく、電圧を低減させるべくＤＣ／ＤＣコンバータを有するとしてよい。電子スイッチ４０６は、調光機能を実現するべく、ＡＣ電力信号の波形を変更する波形整形モジュールを有するとしてよい。
【００５９】
コントローラ４０４からの制御信号は、発光素子４０２に電流を流入させないように電子スイッチに指示するべく、ＨＩＧＨからＬＯＷへと、または、ＬＯＷからＨＩＧＨへと遷移するデジタル信号を含むとしてよい。制御信号は、電子スイッチ４０６が実現すべき調光量に対応するアナログ信号を含むとしてもよい。アナログ信号は、デジタルＨＩＧＨ電圧およびデジタルＬＯＷ電圧のうち一方から、デジタルＨＩＧＨ電圧およびデジタルＬＯＷ電圧のうち他方へと変化するとしてよい。アナログ信号の極値のうち一方は、発光素子４０２がオフとなることに対応して、他方の極値は発光素子４０２が完全にオンになっていることに対応するとしてよい。
【００６０】
図７は、制御可能なアダプタ４５０の一例を示す機能ブロック図である。制御可能なアダプタ４５０は、図５の制御可能なアダプタ３５０として利用され得るが、コントローラ４５２および電子スイッチ４５４を備えるとしてよい。コントローラ４５２は、第１および第２の供給ラインと通信する。コントローラ４５２は、電子スイッチ４５４に制御信号を与える。電子スイッチ４５４は、制御信号に応じて、第１の供給ラインを選択的に遮断する。切り替えられる第１の供給ラインおよび／または第２の供給ライン上の信号は、制御可能なアダプタ４５０から発光素子（不図示）に対して出力される。
【００６１】
図８は、制御可能な固定器具５００の一例を示す機能ブロック図である。制御可能な固定器具５００は、図４に示す制御可能な照明固定器具３００として利用され得るが、コントローラ５０２および電子スイッチ５０４を備える。コントローラ５０２は、第１および第２の供給ラインから電力を受け取るとしてよい。コントローラ５０２は、第２の供給ラインと通信するとしてよい。
【００６２】
コントローラ５０２は、電子スイッチ５０４に対して出力される制御信号を生成する。制御信号に応じて、電子スイッチ５０４は、第１の供給ラインに流れている電流を選択的に遮断する。第１および／または第２の供給ラインは、制御可能な固定器具５００によって、電球（不図示）に選択的に接続される。
【００６３】
図９から図１８は、図６から図８に図示した制御可能な電球４００、制御可能なアダプタ４５０、および制御可能な固定器具５００で用いられるコントローラである、コントローラの一例を示す。図９は、コントローラ５５０の一例を示す機能ブロック図である。コントローラ５５０はタイマ５５２を備える。タイマ５５２は、第１および第２の供給ラインを介して電力を受け取る。タイマ５５２は、第１および第２の供給ラインからの電圧を、デジタルロジックを動作させるのに適切な電圧へと変換する内部電源（不図示）を有するとしてよい。
【００６４】
タイマ５５２は、電力を受け取ると、例えば、手動の光スイッチがオンに制御されると、作動するとしてよい。タイマ５５２は、動作中、電子スイッチに閉状態（伝導状態）を維持するように指示する第１の制御信号をアサートする。電子スイッチによって制御される光は、点灯状態を維持する。タイマ５５２は、所定のタイマ値に到達すると、電子スイッチは開状態となるべきであることを示す第２制御信号をアサートする。この結果、対応する光がオフに制御される。タイマ５５２は、一時的に電力を停止することによって、例えば、手動の光スイッチをオフに制御してからオンに戻すことによって、リセットされ得る。
【００６５】
図１０は、別のコントローラ６００の一例を示す機能ブロック図である。コントローラ６００は、第１および第２の供給ラインを介して電力および制御信号を受け取る電力ラインキャリア受信機６０２を備える。受信した制御信号に応じて、電力ラインキャリア受信機６０２は、電子スイッチを開閉するための制御信号を選択的に出力する。
【００６６】
受信する制御信号は、電子スイッチに対する閉鎖出力制御信号および開放出力制御信号にそれぞれ対応する、点灯信号および消灯信号を含むとしてよい。電力ラインキャリア受信機６０２との通信を実行するべく、電力ラインキャリア受信機６０２には、製造時または取り付け時等において、アドレスを割り当てるとしてよい。このアドレスは、コントローラ６００に対するコマンドがコントローラ６００に明確にアドレス指定され得るように、グローバルに一意的であってもよいし、または、建物全体で一意的であってもよい。
【００６７】
割り当てられるアドレスは、コントローラ６００のパッケージに書き込まれ得るので、電力ラインキャリア制御モジュールにプログラムすることができる。このようにすることによって、電力ラインキャリア制御モジュールは、コントローラ６００に明確にアドレス指定されたコマンドを送ることができる。さまざまな実施例によると、電力ラインキャリア受信機６０２は、普遍的にアドレス指定されたコマンドに応答するとしてもよく、電力ラインキャリア制御モジュールに、例えば、建物内の全ての照明を消させることができる。
【００６８】
図１１は、さらに別のコントローラ６５０の一例を示す機能ブロック図である。コントローラ６５０は、タイマ６５２およびユーザ入力デバイス６５４を備える。ユーザ入力デバイス６５４は、ダイヤル、プッシュボタン、および／または、その他のデバイスを含むとしてよい。ユーザ入力デバイス６５４は、タイマ６５２用のタイマ値を決定する。
【００６９】
タイマ６５２は、ユーザ入力デバイス６５４が指し示すタイマ値に到達するまで、第１の制御信号をアサートする。その後、タイマ６５２は、第２の制御信号をアサートする。第１および第２の制御信号はそれぞれ、電子スイッチを閉鎖および開放するよう指示する。このため、電子スイッチが制御する光は、第２制御信号が受信されるまでオン状態となる。
【００７０】
ユーザ入力デバイス６５４はさらに、動き感知モジュール６５６を有するとしてよい。ユーザ入力デバイス６５４は、タイマ６５２がタイマ値に到達する前に動きが感知されると、タイマ値を増加させるとしてよい。この増加幅は、所定の量であってもよいし、または、前に設定されていたタイマ値に到達するまでの時間に関連して決められるとしてもよい。タイマ６５２が既にタイマ値に到達していれば、ユーザ入力デバイス６５４は、動きが感知されたことに応じて、タイマ６５２をリセットし、再び点灯させる。
【００７１】
図１２は、さらに別のコントローラ７００の一例を示す機能ブロック図である。コントローラ７００は、電力ラインキャリア受信機７０２および、例えばディップスイッチ７０４のようなユーザ入力デバイスを備える。電力ラインキャリア受信機７０２は、第１および第２の供給ラインを介して、電力および制御信号を受け取る。
【００７２】
電力ラインキャリア受信機７０２は、受信した制御信号に応じて、電子スイッチの開閉を指示する。ディップスイッチ７０４は、電力ラインキャリア受信機７０２に割り当てられるアドレスを決定する。このような構成とすることによって、建物内の各コントローラ７００に別のアドレスが割り当てられると、各コントローラ７００は明確にアドレス指定された制御信号に応じることができる。
【００７３】
図１３は、別のコントローラ７５０の一例を示す機能ブロック図である。コントローラ７５０は、第１および第２の供給ラインから電力を受け取る、タイマ７５２およびプログラミングモジュール７５４を備える。タイマ７５２は、所定のタイマ値に到達すると、電子スイッチを開放するよう指示する制御信号をアサートする。
【００７４】
タイマ７５２の所定値は、プログラミングモジュール７５４によって決定されるとしてよい。プログラミングモジュール７５４は、タイマ７５２用の初期値を保持しているとしてよいが、この初期値はプログラミング動作を開始すると差し替えられ得る。プログラミング動作を開始するには、図２のスイッチ２０４のような手動の光スイッチを所定の方法で作動させてプログラミングモードを開始させるとしてよい。
【００７５】
例に過ぎないが、スイッチは、所定の期間内に所定の回数、オンおよびオフに制御するとしてよい。プログラミングモードに入った旨を指し示すべく、光を点滅、調光、または、その他の方法で変調するとしてよい。プログラミングモードに入ると、より詳細に後述する方法で光スイッチのオンおよびオフを制御して、所定のタイマ値をプログラミングするとしてよい。プログラミングモジュール７５４は、タイマ値をタイマモジュール７５２に出力して、不揮発性メモリにタイマ値を格納するとしてよい。
【００７６】
図１４は、別のコントローラ８００の一例を示す機能ブロック図である。コントローラ８００は、電力ラインキャリア受信機８０２およびプログラミングモジュール８０４を備える。電力ラインキャリア受信機８０２は、第１および第２の供給ラインから電力および制御信号を受け取る。電力ラインキャリア受信機８０２は、特定のアドレスに対するコマンドについて制御信号をモニタリングする。
【００７７】
図１３に示したプログラミングモジュール７５４と同様に、図１４のプログラミングモジュール８０４は、供給ライン上の電力の切り替えをモニタリングすることによってデータを受信するとしてよい。プログラミングモジュール８０４は、電力切り替えの所定のパターンに応じて、監視（ｌｉｓｔｅｎ）モードを開始するとしてよい。プログラミングモジュール８０４は、監視モードでは、電力ラインキャリア受信機８０２に対して、電力ラインキャリアを介した第１および第２の供給ライン上でのアドレスブロードキャストについて監視するように指示する。
【００７８】
続いて、電力ラインキャリア制御モジュールが、第１および第２の供給ライン上でアドレスを含むメッセージをブロードキャストするとしてよい。電力ラインキャリア受信機８０２は、受信したアドレスを自身に割り当てられたアドレスとして利用することができ、この結果、その後供給されるコマンドは電力ラインキャリア受信機８０２に明確にアドレス指定され得る。このプロセスは、建物内のその他の複数のコントローラについても繰り返し実行することができるので、各コントローラに一意的なアドレスが割り当てられる。
【００７９】
各コントローラが監視モードに入ると、対応する一意的なアドレスがブロードキャストされ得る。これらの一意的なアドレスに基づいて、コントローラを個別に制御することができる。これに代えて、所定の電力切り替えパターンによってプログラミングモジュール８０４にアドレスを与えるとしてもよい。この場合、電力ラインキャリア受信機８０２は、このアドレスをプログラミングモジュール８０４から受信して、このアドレスに対する受信コマンドに応答することができる。
【００８０】
図１５は、さらに別のコントローラ８５０の一例を示す機能ブロック図である。コントローラ８５０は、電力ラインキャリア送受信機８５２を備え、不揮発性メモリ８５４を備えるとしてよい。電力ラインキャリア送受信機８５２は、電力および制御信号を受け取り、第１および第２の供給ラインを介して制御信号を送信する。
【００８１】
電力ラインキャリア送受信機８５２は、取り付け後最初に電力を受け取った際、第１および第２の供給ラインを介して識別信号を送信するとしてよい。第１および第２の供給ラインと通信している電力ラインキャリア制御モジュール（不図示）が識別信号を受信して、一意的なアドレスを含む応答を返す。電力ラインキャリア送受信機８５２は、この一意的なアドレスを受信して、不揮発性メモリ８５４に格納するとしてよい。電力ラインキャリア送受信機８５２はその後、この一意的なアドレスを持つメッセージに応答することができるようになる。
【００８２】
これに代えて、電力ラインキャリア送受信機８５２は、予めプログラムされた一意的なアドレスを持つとしてもよい。電力ラインキャリア送受信機８５２は、取り付け後に電力を受け取ると、この予めプログラムされた一意的なアドレスを第１および第２の供給ラインを介してブロードキャストし得る。電力ラインキャリア制御モジュールはその後、このアドレスに基づいてコントローラ８５０と通信し得る。
【００８３】
コントローラ８５０のようなコントローラが複数同時に電力を受け取ると、送信を同時に行おうとし得る。衝突検出によって同時に送信しないようにし得るが、一意的なアドレスの割り当てが確定的に行われない場合もある。このため、複数のコントローラのオン制御および／またはプログラミングは、順次実行する必要があるとしてよい。
【００８４】
図１６は、別のコントローラ９００の一例を示す機能ブロック図である。コントローラ９００は、電力ラインキャリア送受信機９０２およびプログラミングモジュール９０４を備える。電力ラインキャリア送受信機９０２は、第１および第２の供給ラインを介して制御信号を送受信する。
【００８５】
プログラミングモジュール９０４は、供給ライン上の電力の有無を、命令として解釈する。プログラミングモジュール９０４は、このような命令に応じて、電力ラインキャリア送受信機９０２に対してコマンドを与える。プログラミングモジュール９０４は、電力ラインキャリア送受信機９０２に対して、特定のアドレスが添付されたアドレス設定命令を与えるとしてよい。この結果、電力ラインキャリア送受信機９０２は、特定のアドレスに対するコマンドに応答することができるようになる。
【００８６】
プログラミングモジュール９０４はさらに、電力ラインキャリア送受信機９０２に対して、アドレス送信コマンドを送るとしてよい。電力ラインキャリア送受信機９０２が送信するアドレスは、第１および第２の供給ラインと通信している電力ラインキャリア制御モジュール（不図示）が受信し得る。電力ラインキャリア制御モジュールはその後、このアドレスを用いて電力ラインキャリア送受信機９０２にメッセージを送信することができるようになる。
【００８７】
プログラミングモジュール９０４はさらに、電力ラインキャリア送受信機９０２に対して監視コマンドを送るとしてよい。そしてプログラミングモジュール９０４は、ブロードキャストメッセージで受信した次のアドレスの使用を開始するとしてよい。プログラミングモジュール９０４はさらに、電力ラインキャリア送受信機９０２にアドレスリセットコマンドを送って、電力ラインキャリア送受信機９０２にアドレスを工場出荷時設定アドレスにリセットさせるとしてもよい。
【００８８】
この工場出荷時設定アドレスは、電力ラインキャリア制御モジュールが持っているので、電力ラインキャリア送受信機９０２に工場出荷時設定アドレスを送って初期設定を行わせることができる。電力ラインキャリア制御モジュールは、初期設定の終了時に、電力ラインキャリア送受信機９０２に一意的なアドレスを割り当てるとしてよい。
【００８９】
図１７は、別のコントローラ９５０の一例を示す機能ブロック図である。コントローラ９５０は、タイマ９５２およびリードオンリーメモリ（ＲＯＭ）９５４を備える。ＲＯＭ９５４は、製造時または取り付け時にプログラムされるとしてよい。ＲＯＭ９５４は、プログラムされると、タイマ９５２にタイマ値を与える。タイマ９５２は、図１３に示したタイマモジュール７５２と同様の機能を持つとしてよい。
【００９０】
図１８は、さらに別のコントローラ１０００の一例を示す機能ブロック図である。コントローラは、電力ラインキャリア受信機１００２およびリードオンリーメモリ（ＲＯＭ）１００４を備える。ＲＯＭ１００４は、製造時または取り付け時にプログラムされるとしてよく、電力ラインキャリア受信機１００２にアドレスを与える。電力ラインキャリア受信機１００２は、ＲＯＭ１００４が特定したアドレスを持つ制御信号に応答する。建物内にコントローラ１０００のようなコントローラが複数設けられている場合、各コントローラは自身のＲＯＭを一意的なアドレスでプログラムすることができる。電力ラインキャリア受信機１００２は、図１４に示した電力ラインキャリア受信機８０２と同様の機能を持つとしてよい。
【００９１】
図１９は、プログラミングモジュール１０５０の一例を示す機能ブロック図である。プログラミングモジュール１０５０は、各構成要素に電力を供給する電源１０５２を備える。プログラミングモジュール１０５０はさらに、タイミングモジュール１０５６と、マイクロコントローラ１０５８と、不揮発性メモリ１０６０とを備える。
【００９２】
プログラミングモジュール１０５０に対するデータ通信は、スイッチを用いて制御される電力供給の有無に基づいて実行される。プログラミングモジュール１０５０に電力が供給されていないと、電源１０５２は電力を供給できない。このため、電荷貯蔵モジュール１０５４は、電気エネルギーを蓄積しており、電力が供給されていない場合にタイミングモジュール１０５６およびマイクロコントローラ１０５８にこの電気エネルギーを与える。タイミングモジュール１０５６は、電力供給が行われている期間の長さと、電力供給が行われていない期間の長さとをモニタリングするべく利用されるとしてよい。この情報に基づいて、制御可能な電球、固定器具、または、アダプタの動作をプログラムする。
【００９３】
マイクロコントローラ１０５８は、タイミングモジュール１０５６から電力供給時間および電力中止時間を受け取り、命令としてこれらの情報を解釈する。電荷貯蔵モジュール１０５４は、プログラミング中に電力供給が中止される期間のうち予測最長期間にわたって、タイミングモジュール１０５６およびマイクロコントローラ１０５８に電力供給するために十分な電荷を蓄積している。
【００９４】
電荷貯蔵モジュール１０５４は、夜に手動で消灯する場合等、長期間にわたって電力供給が止められる場合、十分な電荷を有さないので、タイミングモジュール１０５６およびマイクロコントローラ１０５８は動作を止めてしまう。しかしタイミングモジュール１０５６およびマイクロコントローラ１０５８はプログラミングに従事している場合にのみアクティブとなる必要があるので、これは問題ではない。マイクロコントローラ１０５８は、電力供給中止期間が延長される場合に備えて、不揮発性メモリ１０６０にプログラミング情報を格納する。
【００９５】
図２０は、別のプログラミングモジュール１１００の一例を示す機能ブロック図である。プログラミングモジュール１１００は、電荷貯蔵モジュール１１０２に電力を供給する電源１０５２と、タイミングモジュール１１０４と、マイクロコントローラ１１０６と、不揮発性メモリ１１０８とを備える。
【００９６】
電荷貯蔵モジュール１１０２は、電源１０５２から電力が供給されない場合に、タイミングモジュール１１０４に電力を供給する。電力供給が再開されれば、マイクロコントローラ１１０６はタイミングモジュール１１０４の値を読み出して、不揮発性メモリ１１０８に読み出した値を格納する。このような構成とすることによって、マイクロコントローラ１１０６は、自身に電力が供給されなくても、いつ電力供給が戻ったのかを確認することができる。
【００９７】
マイクロコントローラは、電力供給中止期間の長さを決定するべく、電力供給が中止される前に、不揮発性メモリ１１０８にタイマ値を格納しておく。マイクロコントローラ１１０６は、電力供給が中止されてしまえばタイマ値を記録するのに十分な時間がないことがあるので、電力が供給されている間にタイマ値を定期的に格納するとしてよい。このため電力供給中止期間の長さは大体、不揮発性メモリ１１０８に最後に書き込まれたタイマ値から電力供給が再開されたときのタイマ値までと判断することができる。
【００９８】
図２１は、電力供給有無シーケンスおよび対応付けられた命令を示す表の一例である。図１９のプログラミングモジュール１０５０または図２０のプログラミングモジュール１１００のようなプログラミングモジュールは、電力供給が行われなかった（オフサイクル）の回数に基づいてデータを受信するとしてよい。このデータは、手動の光スイッチを用いて供給されるとしてよい。
【００９９】
スイッチがオン（伝導状態）の場合、プログラミングモジュールはオンサイクルとなる。スイッチがオフ（非伝導状態）の場合、プログラミングモジュールはオフサイクルとなる。表１１５２を用いると、プログラミングモジュールの連続するオフサイクルの数によって、プログラミングモジュールが実行すべき機能が決まる。プログラミングモジュールは、偶発的にプログラムしないよう、プログラミング開始シーケンスが適用されるまでオフサイクルをカウントしないとしてもよい。プログラミング開始シーケンスの一例は、図２２に示している。
【０１００】
表１１５２では、オフサイクル１回の場合も、偶発的なプログラミングを避けるべく、保留している。オフサイクル２回のシーケンスは、電力ラインキャリア送受信機に自身の識別コードを送信させるよう、プログラミングモジュールに命令する。オフサイクル３回のシーケンスは、識別コード更新命令に対応する。この命令は、電力ラインキャリア受信機／送受信機に、現在の識別コードに代えて、電力ラインキャリアを介して受信した次の識別コードを用いるよう指示する。
【０１０１】
電力ラインキャリア受信機／送受信機は、所定の時間が経過すると、置換用識別コードに対する監視を停止するとしてよい。オフサイクルの数に対応する別の命令を挙げると、接続ブロードキャスト命令がある。この命令は、電力ラインキャリア送受信機に、電力ラインキャリア送受信機を指し示すメッセージをブロードキャストさせる。そして電力ラインキャリア送受信機は、電力ラインキャリア制御モジュールが送る新しいアドレスを監視する。オフサイクル４回のシーケンスは、識別コードリセット命令に対応し、電力ラインキャリア受信機は識別コードを工場出荷時設定値にリセットするよう命令される。
【０１０２】
表１１５４は、タイマに適切な命令の一例を示す。オフサイクル１回のシーケンスは保留されるとしてよい。オフサイクル２回のシーケンスは、タイマを５分に設定する旨を示すとしてよく、５分経過後は対応付けられている光源の電力が低減される。オフサイクル３回のシーケンスは、１０分に対応するとしてよい。オフサイクル４回、５回、６回、７回、８回、９回および１０回のシーケンスはそれぞれ、２０分、３０分、４０分、５０分、１時間、１．５時間、および２時間に対応するとしてよい。
【０１０３】
表１１６０は、電力ラインキャリア送受信機および受信機に適切な命令の一例を示す。表１１６０および１１６２に示すシーケンスは、プログラミングモジュールに命令を与えるために利用されるもので、モールス信号に類似している。オフサイクルの数をカウントする代わりに、スイッチがオンまたはオフに制御されている時間の長さによって、命令が決まる。スイッチを短時間制御することは、第１のバイナリ状態に対応し、表１１６０では短点（ドット）で示す。スイッチを長時間制御することは、第２のバイナリ状態に対応し、表１１６０では長点（ダッシュ）で示す。
【０１０４】
長時間制御動作および短時間制御動作のシーケンスは、プログラミングモジュールによって命令として解釈される。短時間制御動作および長時間制御動作は、２進数に直接対応するとしてもよいし、アドレスまたは期間を直接プログラムするべく用いられるとしてもよい。これに代えて、表１１６０に示すように、シーケンスと命令が対応付けられているとしてもよい。
【０１０５】
短時間制御動作、長時間制御動作、短時間制御動作、長時間制御動作というシーケンスは、今後のために保留しておくとしてよい。長、短、短、長というシーケンスは、識別コード送信命令に対応するとしてよい。同様に、短、長、長、短というシーケンスは、識別コード更新命令に対応するとしてよく、長、短、長、短というシーケンスは、識別コードリセット命令に対応するとしてよい。
【０１０６】
表１１６２は、タイマに適したシーケンス−命令間のマッピングを含む。長、長、長、長というシーケンスは、今後のために保留しておくとしてよい。長、長、長、短というシーケンスは、タイマの長さが５分であることに対応するとしてよい。長、長、短、長というシーケンスは、タイマの長さが１０分であることに対応するとしてよい。このほかのバイナリシーケンスが、本例では、２時間までのタイマの長さに対応するとしてよい。
【０１０７】
プログラミング方法の別の例を挙げると、定期的なサンプリングがある。プログラミングモジュールは、プログラミングが開始されると、任意の間隔で電力状態をモニタリングする。プログラミングモジュールは、各期間の中間時点で、電力供給の有無を判断する。これら２つの電力状態は２つの２進数に対応している。間隔は、例えば、５秒であってよい。プログラミングを高速化するべく、この間隔を短くして、例えば１秒または０．５秒とするとしてもよい。表１１７０は、測定された２進数とプログラミングモジュールの機能との間のマッピングの例を含む。
【０１０８】
シーケンス「１０１０」は、今後のために保留しておくとしてよい。シーケンス「０１１０」は、識別コード送信命令に対応するとしてよい。シーケンス「１００１」および「０１０１」は、識別コード更新命令および識別コードリセット命令に対応するとしてよい。表１１７２は同様に、タイマに適切なマッピングの例を含む。シーケンス「００００」は、今後のために保留しておくとしてよい。シーケンス「０００１」は、タイマ値５分に対応するとしてよい。シーケンス「００１０」は、タイマ値１０分に対応するとしてよい。このように、２時間に対応するシーケンス「１００１」まで続く。
【０１０９】
プログラミングシーケンスはさらに、調光命令を実現するとしてもよい。例えば、プログラミングシーケンスは、複数の異なる調光レベルに対応するとしてよい。調光レベルをあるプログラミング動作で設定して、別のプログラミング動作で期間を設定するとしてよい。これに代えて、プログラミング中において、光の強度を徐々に増減して、所望のレベルに到達すると、手動の光スイッチをオフに制御することができる。この光の強度は、手動の光スイッチがオンに戻ったときに復元され得る。
【０１１０】
図２２は、プログラミングモジュールでプログラミングを開始する際にユーザが実行するステップの一例を示すフローチャートである。ステップ１２００で開始され、制御可能な光源が所定の期間、例えば５分以上にわたってオン状態にある。この期間中に、電荷貯蔵モジュールは、光源がオフに制御されるプログラミング動作中に電力供給をするために十分な電荷を蓄積することができる。
【０１１１】
ステップ１２０２に進み、光源を、所定の時間、例えば２秒間オフに制御する。ユーザによるばらつきを考慮して、１秒から３秒までの時間を許容する、というように許容誤差を認めるとしてよい。ステップ１２０４に進み、光源をオンに制御する。ステップ１２０６で１秒間待った後、ステップ１２０８に進み、ここでユーザはプログラミングを開始することができる。ステップ１２０２で２秒間光源をオフに制御すること、および、ステップ１２０６で１秒間待つことによって、プログラミングが偶発的に開始されるのではないことを保証するためである。
【０１１２】
ステップ１２０８において、ユーザは所定の時間内、例えば１０秒以内にプログラミングを開始する。１０秒以内に開始されない場合、プログラミングモジュールは、プログラミングが実は所望されていなかったと仮定してしまう。ステップ１２１０において、ユーザは、所定の回数だけ、光をオフに制御してオンに戻すことを繰り返す。これは、図２１の表１１５２および１１５４ではオフサイクルと呼んでいる。ステップ１２１２では、プログラミング開始から所定の時間内、例えば２０秒以内でプログラミングを終了する。この時点で、オフサイクルのカウントを止めて、終了する。
【０１１３】
図２３は、図２２に示したようなユーザによるプログラミング入力を実現するためのプログラミングモジュールの動作の一例を示すフローチャートである。ステップ１３００で開始され、光が点灯しているか否かを判断する。点灯していなければ、ステップ１３００にとどまり、点灯していれば、ステップ１３０２に進む。ステップ１３００では、回路への初めての電力供給が行われた後で一連の制御が開始されると、光が点灯していることを知るとしてもよい。
【０１１４】
ステップ１３０２では、タイマをリセットして、光が点灯している時間をタイマにモニタリングさせる。ステップ１３０４に進み、光が消えているかどうか判断する。光が消えていれば、ステップ１３０６に移る。光が消えていなければ、ステップ１３０４にとどまる。ステップ１３０６において、タイマの値を５分と比較する。
【０１１５】
タイマの値が５分よりも大きくて、少なくとも５分間は光が点灯していたことを意味する場合、ステップ１３０８に進む。タイマの値が５分以下の場合、ステップ１３００に戻る。この待機期間を設けることによって、電荷貯蔵モジュールが適切な電荷を蓄積することと共にプログラミングが意に反して開始されてしまわないように防ぐことを保証する。ステップ１３０８において、光がオフになっている期間をモニタリングするべく、タイマをリセットする。
【０１１６】
ステップ１３１０において、光が点灯しているか否かを判断する。光が点灯していれば、ステップ１３１２に移る。光が点灯していなければ、ステップ１３１０にとどまる。ステップ１３１２において、タイマの値を２秒と比較する。タイマの値が２秒に略等しい場合、例えば、２秒の前後１秒以内である場合、ステップ１３１４に移る。それ以外の場合、ステップ１３０２に戻る。
【０１１７】
ステップ１３１４において、タイマをリセットする。ステップ１３１６に進み、光が消えているか否かを判断する。光が消えていれば、ステップ１３１８に進み、光が点灯していれば、ステップ１３１６にとどまる。タイマの値が１０秒未満であって、プログラミングが１０秒以内に開始されたことが示されていれば、ステップ１３２０に進む。１０秒以上であれば、ステップ１３００に戻る。
【０１１８】
ステップ１３２０において、タイマ値が１秒よりも大きくて、１秒待ってプログラミングが開始されたことを指し示している場合、ステップ１３２２に移る。１秒以下の場合、ユーザは求められたように１秒間待たなかったことになり、ステップ１３００に戻る。この１秒の遅延によってさらに、意思に反してプログラミングが開始されることがないようにしている。ステップ１３２２において、カウント値という変数をゼロに初期化する。ステップ１３２４に進み、タイマをリセットする。
【０１１９】
ステップ１３２６において、光が点灯していれば、ステップ１３２８に進み、光が消えていれば、ステップ１３３０に移る。ステップ１３３０において、タイマの値が２０秒よりも大きければ、プログラミング用の時間が過ぎてしまっている。１つのオフサイクルが完了しておらず、ステップ１３００に戻る。２０秒以下であれば、プログラミング用の時間が残っていることになり、ステップ１３２６に戻る。ステップ１３２８において、カウントがインクリメントされて、ステップ１３３２に続く。
【０１２０】
ステップ１３３２において、光が消えているか否かを判断する。光が消えていれば、ステップ１３３４に移り、光が点灯していれば、ステップ１３３６に移る。ステップ１３３４において、光が点灯していれば、ステップ１３２８に進み、光が消えていれば、ステップ１３３８に進む。ステップ１３３８において、タイマの値が２０秒を超えていれば、ステップ１３００に戻り、２０秒以下であれば、ステップ１３３４に戻る。
【０１２１】
ステップ１３３６において、タイマの値が２０秒を超えていれば、ステップ１３４０に移り、２０秒以下であれば、ステップ１３３２に戻って光が消えるのを待つ。ステップ１３４０において、プログラミングモジュールはカウント値に基づいた動作を実行する。カウント値という変数はこの時点でオフサイクルの回数を含み、例えば、電力ラインキャリア送受信機／受信機用の表１１５２またはタイマ用の表１１５４を用いて、対応する機能が決定され得る。こうして終了する。これに代えて、ステップ１３０２に戻り、再度プログラミングモードが開始されるのを待つとしてもよい。
【０１２２】
図２４は、図２１に示した表１１６０および１１６２に対応するプログラミングステップの一例を示すフローチャートである。説明の便宜上、図２２で用いた参照番号を用いて同様の構成要素を特定する。図２２と同様に、ステップ１２００からステップ１２０８でプログラミングモジュールを起動する。ステップ１３５０に進み、特定の順序で光のオンおよびオフを切り替える。
【０１２３】
そして、例えば図２１の表１１６０または表１１６２のような表を見ることによって、その順序を解釈する。図２１を参照してより詳細に説明しているが、短点および長点は、光のオンまたはオフの時間の長さに対応する。実装例に応じて、オンの時間またはオフの時間を用いるとしてよい。例えば、オンの時間を用いる場合、短点に対応した短時間にわたって光をオンに切り替えて、長点に応じた長時間にわたって光をオンに切り替え、光がオフに切り替えられている時間は重要でない。
【０１２４】
これに代えて、光をオン状態にしておき、短点に対応する短時間だけオフに切り替えて、長点に応じた長時間だけオフに切り替えることもできる。続いてステップ１２１２に進み、開始してから２０秒以内にプログラミングを完了させる。さまざまな実施例によると、プログラミングに与えられる時間は、２０秒より短くても長くてもよい。例えば、プログラミングモジュールにアドレスを直接プログラムする場合、これより長い時間を許可するとしてよい。こうして終了する。
【０１２５】
図２５は、図２１に示した表１１７０および１１７２に対応するプログラミングステップの一例を示すフローチャートである。説明の便宜上、図２２で用いた参照番号を用いて同様の構成要素を特定する。図２２と同様に、ステップ１２００からステップ１２０８でプログラミングモジュールを起動する。ステップ１３７０に進み、特定の間隔で光をオンまたはオフに制御する。プログラミングモジュールは、各期間中に電力が供給されているか否かをサンプリングする。
【０１２６】
例えば、期間が５秒間であれば、１００１のシーケンスは、５秒間にわたって光をオンに制御して、１０秒間にわたって光をオフに制御して、５秒間にわたって光をオンに制御することを含む。プログラミングモジュールは、ユーザによるばらつきを考慮して、５秒間にわたる各期間の中間時点においてサンプリングするとしてよい。ステップ１３７２に進み、プログラミングを所定の時間内、例えば３０秒以内に完了させるとしてよい。そうして終了する。
【０１２７】
図２６は、ユーザによる別のプログラミング方法の一例を示すフローチャートである。ステップ１４００で開始され、７秒間から８秒間にわたって点灯させる。そして、ステップ１４０２で消灯する。ステップ１４０４において、５秒以内に再び点灯する。この順序で制御することによってプログラム信号が生成されて、当該プログラム信号は、電力ラインキャリア受信機または送受信機に与えられる。
【０１２８】
電力ラインキャリア送受信機は、プログラム信号を受信すると、自身の識別コードを含むメッセージを送信するとしてよい。当該メッセージは、電力ラインキャリア制御モジュールによって受信され、コントローラのアドレスを通知する。これに代えて、当該プログラム信号に応じて、電力ラインキャリア受信機または送受信機は、自身の識別コードを工場出荷時設定値にリセットするとしてもよい。
【０１２９】
これに代えて、当該プログラム信号に応じて、電力ラインキャリア送受信機または受信機は、アドレス設定命令等の命令を監視するとしてもよい。この場合、ユーザは、電力ラインキャリア受信機／送受信機が監視モードに入ると、電力ラインキャリアを介してコマンドをブロードキャストする。そして、電力ラインキャリア受信機にアドレスが送られると、電力ラインキャリア受信機はその後、そのアドレスによって識別されるコマンドに応答することができるようになる。そして終了する。
【０１３０】
図２７は、図２６に示したプログラミング動作を実装するプログラミングモジュールの一例を示す概略機能図である。電源１４５０は、タイミングモジュール１４５２に電力を供給する。タイミングモジュール１４５２は、電力ラインキャリア送受信機または受信機が受信する、プログラム信号を出力する。
【０１３１】
タイミングモジュール１４５２は、電源１４５０と通信する第１端と、第１コンデンサ１４５６の第１端と通信する第２端とを含む、第１の抵抗１４５４を有する。第１のコンデンサ１４５６の第２端は、グラウンド電位等の参照電位と通信する。第１のコンデンサ１４５６の第１端は、第１の比較器１４５８の第１入力と通信する。
【０１３２】
第１の比較器１４５８の第２入力は、第１の参照電圧生成器１４６０と通信し、第１の参照電圧生成器１４６０は、電源１４５０から電力供給を受けている。タイミングモジュール１４５２は、第１および第２のトランジスタ１４６２および１４６４を有する。さまざまな実装例によると、第１および第２のトランジスタ１４６２および１４６４は、ゲート、ソースおよびドレインを持つ金属酸化膜半導体電界効果トランジスタ（ＭＯＳＦＥＴ）であるが、その他の種類のトランジスタを利用するとしてもよい。
【０１３３】
第１のトランジスタ１４６２のソースは電源１４５０と通信する。第１のトランジスタ１４６２のゲートは、第１の比較器１４５８の出力および第２のトランジスタ１４６４のゲートと通信する。第２の抵抗１４６６の第１端および第２端はそれぞれ、第１および第２のトランジスタ１４６２および１４６４のドレイン端子と通信する。
【０１３４】
第２のトランジスタ１４６４のドレインは、第２の比較器１４６８の第１入力および第２のコンデンサ１４７０の第１端子と通信する。第２のコンデンサ１４７０の第２端子および第２のトランジスタ１４６４のソースは、参照電位と通信する。第２の比較器１４６８の第２入力は、第２の参照電圧生成器１４７２と通信し、第２の参照電圧生成器１４７２は電源１４５０から電力供給を受ける。
【０１３５】
第２の比較器１４６８の出力は、ラッチ１４７４と通信している。ラッチ１４７４は、電源１４５０から電力供給を受ける遅延モジュール１４７６によって作動される。第１および第２の比較器１４５８および１４６８ならびにラッチ１４７４は、電源１４５０から電力供給を受ける。ラッチ１４７４の出力は、プログラム信号として機能する。
【０１３６】
電力が最初にタイミングモジュール１４５２に与えられた時点では、第１のコンデンサ１４５６には電荷がないので、第１の比較器１４５８の第１入力そして出力は参照電位となっている。第１の比較器１４５８の出力が低い場合には、第２のトランジスタ１４６４がオフに制御されて、第１のトランジスタ１４６２がオンに制御される。第１のトランジスタ１４６２がオンなので、第２のコンデンサ１４７０は第２の抵抗１４６６に基づいて充電する。
【０１３７】
第１および第２のコンデンサ１４５６および１４７０ならびに第１および第２の抵抗１４５４および１４６６の値は、第２のコンデンサ１４７０が第１のコンデンサ１４５６によりも先に完全に充電されるように選択される。第２のコンデンサ１４７０が完全に充電されて電源１４５０への電力供給がなくなると、第２のコンデンサ１４７０の電荷がゆっくりと放電される。
【０１３８】
そのあとすぐに電源１４５０への電力供給が再開されると、第２のコンデンサ１４７０には第２の比較器１４６８の出力を高くするのに十分な電荷がある。この高い出力は、ラッチ１４７４によってラッチされる。ラッチ１４７４は、遅延モジュール１４７６によって作動される。遅延モジュール１４７６は、第２の比較器１４６８において電源１４５０から供給される電力が安定化すると、ラッチ１４７４を作動させる。
【０１３９】
ラッチ１４７４の出力は、回路から電力がなくなるまで、高い状態を維持する。第２のコンデンサ１４７０が完全に充電された後でも電源１４５０に対する電力供給が継続していれば、第１のコンデンサ１４５６は最終的に完全に充電される。第１の参照電圧生成器１４６０によって、第１の比較器１４５８の出力は、第１のコンデンサ１４５６が完全に充電されると高くなる。そうすると、第１のトランジスタ１４６２がオフに制御され、第２のトランジスタ１４６４がオンに制御される。第２のトランジスタ１４６４は、第２のコンデンサ１４７０の電荷を短時間で放電させる。
【０１４０】
第２の抵抗１４６６および第２のコンデンサ１４７０の値は、第２のコンデンサ１４７０が約６秒で充電するように選択されるとしてよく、第１の抵抗１４５４および第１のコンデンサ１４５６の値は、第１のコンデンサ１４５６が約８秒で充電するように選択されるとしてよい。このため、ユーザは電源をオンに制御して、６秒から８秒後に、電源をオフに制御し得る。
【０１４１】
第２のコンデンサ１４７０には電荷が残り、電力供給が再開されるとプログラミング信号を高く設定し得る。第２の参照電圧生成器１４７２は、第２のコンデンサ１４７０にどれくらいの電荷が残っていれば第２の比較器１４６８からの出力が高くなるかを判断する。例えば、第２の参照電圧生成器１４７２を、電力供給をしない期間は５秒までと設計してよい。タイミングモジュール１４５２は、より複雑なプログラミング手順を可能とするように変形され得る。例えば、プログラミング信号が生成されるまでに、より多くの回数のオン／オフの作動をトラッキングするように、比較器およびコンデンサをさらに追加するとしてよい。
【０１４２】
図２８は、制御可能な固定器具、アダプタ、および／または、電球を操作するための方法１５００の一例を示す図である。この方法では、制御可能な固定器具、アダプタ、または、電球は、任意の適切な方法でプログラミングモードに入る。そしてユーザは、所望の自動消灯期間に等しい長さの期間にわたって点灯させておいてから、消灯する。制御可能な固定器具、アダプタ、または、電球は、この期間を測定して格納する。こうして制御可能な固定器具、アダプタ、または、電球は、点灯時間が格納されている期間を過ぎると、自動的に消灯する。
【０１４３】
ステップ１５０８で開始され、プログラミングモードに入っているか否かを判断する。ステップ１５０８が真であれば、ステップ１５１２においてタイマ（タイマ１）を開始させる。ステップ１５１６において、スイッチを用いて消灯されたか否かを判断する。ステップ１５１６が真であれば、ステップ１５２０においてタイマ（タイマ１）を停止させる。ステップ１５２４において、タイマ（タイマ１）の値に等しくなるように自動消灯時間を設定する。こうして終了する。
【０１４４】
図２９は、制御可能な固定器具、アダプタ、および／または、電球を操作するための別の方法１５５０の一例を示す図である。方法１５５０では、ユーザとの対話に基づいて、自動的に消灯されるまでの時間を設定する。プログラムされている点灯時間は最初、制御可能な固定器具、アダプタ、および／または、電球の製造時または取り付け時に設定されているとしてよい。プログラムされている時間の最初の設定はまた、上述した方法またはその他の任意の適切な方法のうち１以上に従って設定されているとしてもよい。
【０１４５】
光のスイッチがオンに制御されると、制御可能な固定器具、アダプタ、または、電球は、プログラムされている時間が経過するまでの間、発光素子に光を生成させる。プログラムされている時間を短くするには、プログラムされている時間が経過する前に、光を手動でオフに切り替えることができる。この場合の点灯時間が、新しくプログラムされた時間となる。
【０１４６】
意図せずにプログラムされた時間を短くしてしまわないように、プログラムされた時間は、光のスイッチが短時間に連続してオフに制御されて、オンに制御され、さらにオフに制御された場合にのみ更新されるとしてよい。光のスイッチが単にオフに制御されても、プログラムされた時間は変更されない。さまざまな実施形態によると、プログラムされた時間の最小値が定義されるとしてよい。プログラムされた時間の最小値よりも短い時間内に手動で消灯されても、プログラムされた時間は変更されない。このような構成とすることによって、ユーザは、プログラムされた時間の値に影響を与えることなく、短時間の間点灯させることができる。
【０１４７】
プログラムされた時間を長くするには、プログラムされた時間が経過して消灯されると、ユーザは、光のスイッチをオフしてからオンに制御する。この後、ユーザが手動でオフに制御するまで、点灯している。この結果、プログラムされた時間は、このように手動で介入した後点灯していた時間だけ、長くなる。
【０１４８】
さまざまな実施形態によると、新しくプログラムされた時間は、プログラムされていた値に応じて消灯された時点からユーザが手動で光スイッチを切り替えた時点までの間の時間を含む。ユーザが光のスイッチをオフおよびオンに切り替えた時点において長時間にわたって消灯されていれば、ユーザはプログラムされた時間を延長することは所望しておらず、新たに点灯サイクルを開始させている可能性がある。このため、所定の時間が経過した後でオフ−オンサイクルが発生すれば、プログラムされた時間は変更されず、単に再び点灯させるにとどめる。そしてプログラムされた時間が経過すれば、再度消灯される。
【０１４９】
意図せずにプログラムされた時間を長くしてしまわないように、プログラムされた時間を長くするための光スイッチの制御シーケンスは、オフ−オンよりも複雑なシーケンスとしてよい。例えば、プログラムされた値に応じて消灯された後所定の時間内にオフ−オン−オフ−オンと光のスイッチが制御された場合に、プログラムされた時間を長くするとしてよい。単なる一例として挙げると、所定の時間とは１０秒であってよい。
【０１５０】
方法１５５０はステップ１５５２で開始され、点灯しているか否かを判断する。点灯していれば、ステップ１５５４に移り、点灯していなければ、ステップ１５５２にとどまる。ステップ１５５４において、点灯状態を維持して、ステップ１５５６に進み、第１のタイマ（タイマ１）をリセットする。タイマ１がプログラムされた時間に到達すれば、自動的に消灯される。ステップ１５５８に進み、手動の光スイッチを用いて消灯されたか否かを判断する。手動の光スイッチを用いて消灯されていれば、ステップ１５６０に移り、そうでなければ、ステップ１５６２に進む。
【０１５１】
これに代えて、ステップ１５６０に進まずに、ステップ１５６４に移ってもよい。ステップ１５６０は、意図せずプログラミングしてしまう可能性を低減するべくより複雑なプログラミング手順を実装する。光スイッチがオフに制御されたときにプログラムされた時間を更新するのではなく、所定のＴ秒以内にスイッチがオフ−オン−オフに制御された場合にのみプログラムされた時間を更新する。ステップ１５６０において、スイッチがオフに制御された後Ｔ秒以内にスイッチがオンそしてオフに再度制御されたか否かを判断する。このように制御されていれば、ステップ１５６４に進み、制御されていなければ、ステップ１５５２に戻る。
【０１５２】
ステップ１５６４において、タイマ１の値がプログラムされた値について最小許容値よりも大きいか否かを判断する。大きければ、ステップ１５６６に移り、最小許容値以下であれば、ステップ１５５２に戻る。ステップ１５６４は、意図せずにプログラミングしてしまうことに対する別の対策を実行するステップである。プログラムされた時間は、点灯していた時間がプログラムされた値の最小許容値未満であれば、更新されない。このため、プログラムされた時間に影響を及ぼすことなく、点灯および消灯を短時間に行うことができる。
【０１５３】
例えば、制御可能な電球、固定器具、または、アダプタのプログラムされた時間の最小許容値は１０分であって、仕事部屋に取り付けられるとしてよい。プログラムされた時間は、当該仕事部屋で行われる通常の仕事に適切な、２時間にプログラムされてもよい。ユーザが当該仕事部屋での点灯状態を維持する期間が１０分未満である（例えば、道具を探す）場合、プログラムされた時間は以前に設定された２時間のままとなる。
【０１５４】
この予防対策が求められていない場合、ステップ１５６４は省略するとしてもよく、直接ステップ１５６６に進む。さまざまな実装例によると、プログラムされた時間の最小許容値はゼロに設定して、ステップ１５６４を省略するとしてもよい。ステップ１５６６において、タイマ１の値が新しくプログラムされた時間として格納される。そしてステップ１５５２に戻る。
【０１５５】
ステップ１５６２において、タイマ１の値がプログラムされた時間よりも大きいか否かを判断する。大きい場合には、ステップ１５６８に進み、以下である場合には、ステップ１５５８に戻る。ステップ１５６８において、自動的に消灯されて、ステップ１５７０に進む。ステップ１５７０において、第２のタイマ（タイマ２）がリセットされて、ステップ１５７２に続く。
【０１５６】
ステップ１５６８において自動的に消灯された後所定の応答時間内にユーザが再度点灯させると、再び点灯されたことに基づいてプログラムされた時間を更新するとしてよい。例えば、所定の応答時間を１分に設定するとしてよい。この設定では、消灯されると、ユーザには再び点灯させるまでに１分の猶予が与えられ、追加で点灯した時間をプログラムされた時間に組み込む。
【０１５７】
ステップ１５７２では、タイマ２の値が所定の応答時間よりも大きいか否かを判断する。大きい場合、ユーザは再び点灯させるとしてもよいが、プログラムされた時間は更新されず、ステップ１５５２に戻る。所定の応答時間以下の場合には、ステップ１５７４に移る。ステップ１５７４では、光のスイッチがオフに制御されてオンに制御されたか否かを判断する。このように制御されていれば、ステップ１５７６に進み、このように制御されていなければ、ステップ１５７２に戻る。ステップ１５７６において、点灯させて、ステップ１５７８に進む。
【０１５８】
方法１５５０は、プログラムされた時間を意図に反して長くしてしまうことを避けるための対策として、より複雑なプログラミング手順を可能とするように変形され得る。例えば、ステップ１５７４とステップ１５７６の間にさらに比較ステップを挿入するとしてよく、当該比較ステップにおいては、光のスイッチが再度オフに制御されてオンに制御されたか否かを判断する。このように制御されていれば、ステップ１５７８に進み、このように制御されていなければ、スイッチがオフに制御されるまで待って、ステップ１５５２に戻るとしてよい。
【０１５９】
ステップ１５７８において、スイッチがオフに制御されているか否かを判断する。オフに制御されていれば、ステップ１５８０に移り、オフに制御されていなければ、ステップ１５７８にとどまる。ステップ１５８０において、新しくプログラムされた時間としてタイマ１の値を格納する。そしてステップ１５５２に戻る。
【０１６０】
上述したさまざまな実装例によると、電球および／または制御可能な電球は、ネジ状接続部材、１以上の受け口に受け入れられる１以上のピン、および／または、その他の電気機械的接続部材を用いて、アダプタ、固定器具、制御可能なアダプタ、および／または、制御可能な固定器具に接続されるとしてよい。制御可能な電球、アダプタ、または固定器具が消灯すると、スイッチをオフに制御して再度オンに戻すことによって、再度点灯させ得る。
【０１６１】
図３０から図３７は、照明およびその他のデバイスを制御する別の方法を示す図である。図２から図２９を参照しつつ上述した実装例の一部では、ユーザは、制御可能な電球、アダプタ、または固定器具をプログラムするために所定のパターンで従来のスイッチをトグルした。想定され得ることであるが、このような方法を用いてやり取りされ得るプログラミングデータの量はある程度限界がある。
【０１６２】
図３０から図３７によると、従来のスイッチに代えてユーザインターフェースを備えるマスターコントローラを用いるとしてよい。マスターコントローラは、離れた位置にある１以上の制御可能なデバイスをプログラムするとしてよい。制御可能なデバイスへの電力供給は、供給ラインを介してマスターコントローラに配されるとしてもよい。マスターコントローラは、供給ラインを介して、制御可能なデバイスに、制御データおよび／またはプログラムデータを送る。
【０１６３】
例に過ぎないが、ユーザインターフェースは、キーパッド、１以上のボタン、および／または、その他の入力デバイスを含み得る。ユーザがユーザインターフェースを起動させると、マスターコントローラは、欠落パルス方式を用いて、供給ラインを介して、制御データおよび／またはプログラムデータを送る。このようにして、制御可能なデバイスのうち１以上のデバイスは、インターフェース動作に対応付けられる１以上の制御データセットおよび／またはプログラムセットに基づいてプログラミングされ得る。
【０１６４】
欠落パルス方式は、電力信号の期間のうち選択された箇所を除外することによって、データを符号化する。以下に説明する。この方式を利用することによって、スイッチを手動でトグルする場合よりも、情報伝送の速度および精度を向上させることができる。このため、ユーザの手の器用さに左右されることなく、より複雑なプログラミング動作が実行され得る。例えば、最大強度のオン状態に制御され、２時間後には強度を半分に下げて、４時間後にはオフに制御するというようにデバイスをプログラミングするとしてよい。
【０１６５】
さらに、マスターコントローラは、複数の制御可能なデバイスと通信するとしてもよく、ユーザの入力に応じてこれらの複数の制御可能なデバイスの制御を調整するとしてよい。また、マスターコントローラに対応付けられた制御可能なデバイスのうち一部は、ユーザインターフェース素子、例えば１つのボタンがユーザによって起動されると、ほかの制御可能なデバイスと異なるようにプログラミングされるとしてもよい。
【０１６６】
本開示によると、１回の入力に基づいて複数の制御可能なデバイスを制御することができる。例に過ぎないが、このような構成とすることによって、複数の制御可能な照明を含むシーン照明制御および／または電動化された日よけ等の別のデバイスの制御が可能となる。また、１つのボタンを用いて、対応する照明の点灯時間および点灯強度をさまざまなレベルとするように、複数の制御可能なデバイスをプログラミングするとしてよい。この１つのボタンはさらに、制御可能なデバイスにおいて、この処理に影響を与える所定のプログラムを選択するとしてよい。
【０１６７】
以下に説明するように、プログラミング情報を格納および変更するべく、ならびに／または、マスターコントローラの動作を指示するべく、コンピュータがマスターコントローラおよび／または制御可能なデバイスにインターフェースされているとしてよい。コンピュータは、ウェブページを介してインターフェースにアクセスし得る。ユーザは、インターフェースを用いて、カスタムプログラムを作成したり、マスターコントローラにカスタムプログラムをダウンロードしたりすることができる。
【０１６８】
システムの一例を簡潔に、図３０、図３０Ａおよび図３０Ｂで紹介する。図３１Ａから３１Ｄでは、制御可能なデバイスにデータを通信するべく用いられる欠落パルス符号化の一例をより詳細に説明している。図３２から図３５Ｂでは、マスターコントローラの構成要素の一例を示す。図３６Ａから３７では、制御可能なデバイスの構成要素の一例を示す。図３８では、最初のプログラミングデータを制御可能なデバイスに格納するべく用いられる取り付けプログラマの一例を示す。
【０１６９】
図３０は、プログラム可能な負荷制御システムの一例を示す機能ブロック図である。マスターコントローラ１６００−１は、例えば壁面取り付け型ボタンアセンブリであって、サービスパネル２０２から電力を受け取る。マスターコントローラ１６００−１は、プログラミングデータを生成して、１以上の制御可能なデバイス、例えば、制御可能なデバイス１６０２−１および１６０２−２に送信する。マスターコントローラ１６００−１は、以下で説明するように、欠落パルスを用いてプログラミングデータを符号化するとしてよい。
【０１７０】
制御可能なデバイス１６０２−１は、プログラミングデータに基づいて、負荷１６０４を制御する。負荷１６０４は、図３０に示すように制御可能なデバイス１６０２−１と一体的に構成されているとしてもよいし、別個に形成されているとしてもよい。例に過ぎないが、制御可能なデバイス１６０２−１は、照明固定器具、電球ソケットアダプタ、または電球を有するとしてよく、負荷１６０４は電球または発光素子を有するとしてよい。
【０１７１】
マスターコントローラ１６００−１は、欠落パルスを用いることによって、人間がスイッチをトグルする場合よりも高速にデータを転送することができる。このため、欠落パルスを用いない場合よりも複雑な制御動作が可能となる。例に過ぎないが、欠落パルス法によって、より具体的な制御データ、例えば、負荷１６０４を最大強度でオンに制御して、ｘ分後には強度を下げて、ｙ分後にはさらに強度を下げて、最終的にｚ分後に負荷１６０４をオフに制御する命令を送信することができるようになる。
【０１７２】
マスターコントローラ１６００−１は、サービスパネル２０２から電力を受け取る、欠落パルス送信機１６１２を備える。欠落パルス送信機１６１２は、マスターコントローラ１６００−１のその他の構成要素に電力を供給する。欠落パルス送信機１６１２は、制御可能なデバイス１６０２−１に電力信号を送信し、当該電力信号からパルスを除くことによって、制御可能なデバイス１６０２−１に対する制御データを符号化する。
【０１７３】
欠落パルス送信機１６１２は、制御モジュール１６１４によって制御される。制御モジュール１６１４は、ユーザインターフェース１６１０、無線インターフェース１６１６、コンピュータインターフェース１６１７、パラメータ制御モジュール１６１８、および／または電力ラインインターフェース１６２０のような、任意の構成要素と通信するとしてよい。ユーザインターフェース１６１０によって、ユーザは、例えばボタンを押下することによって、マスターコントローラ１６００−１と対話することができ、より詳細に後述する。
【０１７４】
マスターコントローラ１６００−１は、このような構成に代えて、または、このような構成に加えて、無線インターフェース１６１６および／または電力ラインインターフェース１６２０を介して、ユーザ入力を受け取るとしてよい。無線インターフェース１６１６は、マスターコントローラ１６００−２のようなほかのマスターコントローラと、ネットワークアクセスポイントおよび／またはパーソナルコンピュータによって、通信するとしてよい。無線インターフェース１６１６はさらに、携帯可能デバイス１６０８−１および１６０８−２のような携帯可能デバイスと通信するとしてよい。無線インターフェースは、ＩＥＥＥ８０２．１１、８０２．１１ａ、８０２．１１ｂ、８０２．１１ｇ、８０２．１１ｈ、８０２．１１ｎ、８０２．１６、または８０２．２０等の、無線ローカルエリアネットワーク（ＷＬＡＮ）規格を用いるとしてよく、ＩＥＥＥ８０２．１５．１のような無線パーソナルエリアネットワーク（ＷＰＡＮ）規格をサポートするとしてよい。
【０１７５】
電力ラインインターフェース１６２０は、マスターコントローラ１６００−２のようなその他のマスターコントローラならびに電力ラインキャリア制御モジュール１６０６−１および１６０６−２のような電力ラインキャリア制御モジュールと通信するとしてよい。電力ラインインターフェース１６２０は、サービスパネル２０２と通信している供給ラインを介して通信する。電力ラインキャリア制御モジュール１６０６−２、マスターコントローラ１６００−２、および別の制御可能なデバイス１６０２−３は、サービスパネル２０２の別の分岐回路に配置されるとしてもよい。
【０１７６】
パラメータ制御モジュール１６１８は、制御モジュール１６１４が利用する負荷特性、ユーザの嗜好、および予め用意された設定内容等のデータを格納する。このデータには、同じマスターコントローラが複数の制御可能なデバイスを制御する場合には、制御可能なデバイスのアドレスを含まれるとしてよい。このデータはさらに、制御可能なデバイスのうちどれがシーンの一部を構成するのか、および、どの程度の強度でシーンに設定されるべきなのかを特定するとしてよい。
【０１７７】
パラメータ制御モジュール１６１８は、マスターコントローラ１６００−１がインストールされると設定されるとしてよく、マスターコントローラ１６００−１の使用中に更新されるとしてよく、および／または、製造時にハードコードされるとしてよい。パラメータ制御モジュール１６１８は、図３３Ａから図３３Ｃを参照してより詳細に説明する。パラメータ制御モジュール１６１８はさらに、コンピュータインターフェース１６１７によってプログラムされるとしてよい。
【０１７８】
コンピュータインターフェース１６１７は、例えばＲＳ−２３２またはユニバーサルシリアルバス（ＵＳＢ）等のシリアルインターフェース、および／または、ＩＥＥＥ８０２．３等のネットワークインターフェースを有するとしてよい。コンピュータインターフェース１６１７を利用することによって、ユーザまたはインストーラは、パラメータ制御モジュール１６１８のコンテンツを更新するとしてよい。例えば、ユーザは、カスタムプログラムを作成するべくウェブサイトにアクセスするとしてよい。
【０１７９】
さらに、コンピュータインターフェース１６１７は、制御モジュール１６１４を直接制御するべく利用され得る。このような構成とすることで、ユーザは、制御可能なデバイスを制御することができ、および／または、コンピュータからシーンを選択することができる。コンピュータがインターネットに接続されていれば、制御モジュール１６１４を制御するためのコマンドは遠隔地（例えば、ユーザの職場）からコンピュータに送信され得る。
【０１８０】
マスターコントローラ１６００−１は、制御モジュール１６１４と通信する受信機／電流検出器１６２２を備えるとしてよい。受信機／電流検出器１６２２は、制御可能なデバイス１６０２−１および１６０２−２のような下流のデバイスによって消費される電流を感知するとしてよい。制御可能なデバイス１６０２−１は、欠落パルスが送信されていない期間において、電流の消費を中断することによって、マスターコントローラ１６００−１にデータを送り返すことができる。受信機／電流検出器１６２２は、マスターコントローラ１６００−１に送られるデータとして、このような欠落電流パルスを復号する。
【０１８１】
電力ラインキャリア制御モジュール１６０６−１は、サービスパネル２０２からの電力信号に重畳されている信号によってその他のデバイスと通信している、電力ラインインターフェース１６２４を有する。電力ラインキャリア制御モジュール１６０６−１は、電力ラインインターフェース１６２４と通信する、ユーザインターフェース１６２６および／または無線インターフェース１６２８を有するとしてよい。
【０１８２】
電力ラインインターフェース１６２４は、ユーザ入力データをマスターコントローラ１６００−１および／またはマスターコントローラ１６００−２と通信する。ユーザ入力データは、ユーザインターフェース１６２６および／または無線インターフェース１６２８から受信するとしてよい。無線インターフェース１６２８は、携帯可能デバイス１６０８−１および１６０８−２等のその他の入力デバイスからユーザ入力データを受け取る。
【０１８３】
携帯可能デバイス１６０８−１は、スマートフォン、ノート型コンピュータ、携帯情報端末（ＰＤＡ）、リモートコントローラ等を含むとしてよい。携帯可能デバイス１６０８−１は、無線インターフェース１６３０およびユーザインターフェース１６３２を有する。無線インターフェース１６３０は、ユーザインターフェース１６３２を介してユーザから受け取ったデータを無線で送信する。無線インターフェース１６３０はさらに、マスターコントローラ１６００−１の範囲外にあるデバイス、例えば、携帯可能デバイス１６０８−２からの無線信号に対するリピーターとして機能するとしてよい。
【０１８４】
制御可能なデバイス１６０２−１は、スイッチ１６４０、デバイス制御モジュール１６４２、および欠落パルス受信機１６４４を備える。スイッチ１６４０は、マスターコントローラ１６００−１の欠落パルス送信機１６１２からの電力信号を受け取る。スイッチ１６４０は、デバイス制御モジュール１６４２によって制御される。デバイス制御モジュール１６４２は、欠落パルス受信機１６４４によって設定される。
【０１８５】
デバイス制御モジュール１６４２はさらに、取り付け時に設定されるパラメータを与えるパラメータ制御モジュール１６４６と通信するとしてよい。さまざまな実装例によると、パラメータ制御モジュール１６４６はさらに、通常動作中に、欠落パルス受信機１６４４によって更新されるとしてよい。パラメータ制御モジュール１６４６は、マスターコントローラ１６００−１のパラメータ制御モジュール１６１８に格納されているようなデータを有するとしてよい。さらに、パラメータ制御モジュール１６４６が、コンピュータインターフェース１６１７と同様のコンピュータインターフェース１６４８を介して、プログラムおよび／または更新されるとしてよい。
【０１８６】
図３０Ａおよび図３０Ｂは、マスターコントローラと制御可能なデバイスとを接続するさまざまな方法を示す図である。図３０Ａおよび図３０Ｂでは、マスターコントローラ１６００のうち１つを簡略化して示す。図３０Ａによると、欠落パルス送信機１６１２は、制御可能なデバイス１６０２−Ａ１、１６０２−Ａ２、・・・、および１６０２−ＡＸそれぞれと直接通信する。
【０１８７】
図３０Ｂによると、欠落パルス送信機１６１２は１以上のノード１６４７と通信する。制御可能なデバイス１６０２−Ｂ１、１６０２−Ｂ２、・・・、および１６０２−ＢＸはそれぞれ、ノード１６４７と直接的または間接的に（別のノードを介して：この例は不図示）通信する。想到し得ることであるが、図３０Ａおよび図３０Ｂに関連して、直接接続および１以上のノードを介した接続の両方を備えるハイブリッドマスターコントローラを用いるとしてもよい。欠落パルス送信機１６１２は、制御可能なデバイス１６０２に送られる制御データ以外に、アドレス指定データを生成する。
【０１８８】
アドレス指定データは、送信中の制御データに対応付けられている制御可能なデバイスを選択するデータである。図３０Ｂに示す構成の利点としては、マスターコントローラ１６００に対する接続が簡単であることが挙げられる。マスターコントローラ１６００は、接続箱に配置されるとしてもよい。制御可能なデバイス１６０２それぞれに対する電力供給体をすべて、同じ接続箱内で、マスターコントローラ１６００に個別に接続するのは難しい場合もある。さらに、アドレス指定を行うことによって、複数の制御可能なデバイスを接続することができると同時に個別に制御することができるようになる。
【０１８９】
図３１Ａは、欠落パルス送信を示す図である。電力は通常、周波数として特徴付けられる正弦電圧波形１７００によって運ばれる。一例を挙げると、周波数は約５０Ｈｚまたは６０Ｈｚであってよい。電圧波形１７００の各期間は、正側サイン波部分と負側サイン波部分とから成る。この正側サイン波部分および負側サイン波部分は、パルスとも呼ばれるが、一部分が切り捨てられると、下流デバイスはこのような欠落パルスをデータとして解釈することができる。
【０１９０】
例えば、欠落パルスは１７０２として図示されている。電圧波形１７００は、点線で示す正弦波１７０３を描くのではなく、欠落パルス１７０２において平坦な状態を維持している。欠落パルス１７０２は、例示を目的として図示しているに過ぎず、ゼロクロス点において欠落している半分の期間が開始および終了している。欠落パルスは、電圧波形１７００の任意の期間のどの部分に現れるとしてもよく、必ずしもゼロクロス点で開始または終了するわけではない。しかし、ゼロクロス点同士の間で欠落パルスを送ることによって、欠落パルスを符号化するために用いられるスイッチに対する負担を軽減し得る。
【０１９１】
欠落パルス１７０２の後には、完全なパルスが２つ続き、第２の欠落パルス１７０４が現れる。第２の欠落パルス１７０４の後には、完全なパルスが２つ続いて、第３の欠落パルス１７０６が現れる。この完全パルスおよび欠落パルスが現れるシーケンスを、データとして解釈することができる。電圧波形１７００は、ゼロボルトを中心としてもよい。このため、欠落パルスの期間中は、電圧をゼロボルトにするとしてもよい。電圧波形１７００の高周波ノイズを最小限に抑えるべく、フィルタを適用して欠落パルスの角（参照番号１７１０−１および１７１０−２によって指し示すもの）を丸めるとしてもよい。
【０１９２】
パルスを除去すると、下流デバイスが利用できる電力が低減してしまう。一例に過ぎないが、１秒につき１２０個のパルスが電圧波形１７００に含まれ、１秒につき６つのパルスが除去される場合、平均電力のうち失われるのは、６／１２０、つまり、５％に過ぎない。データレートは１秒につき数個のシンボルに過ぎないが、それでも人間が壁面スイッチをトグルする場合に十分な信頼性で実現できるデータレートよりも高く、利用可能な電力の減少幅もわずかに過ぎない。
【０１９３】
このようなデータレートは、データに優先順位を付けて、より低い優先順位のデータを制御可能なデバイス１６０２−１に送信する前により高い優先順位のデータを送信することによって、有効に活用することができる。例えば、優先順位が高いデータには、負荷をオンに制御する場合の強度があり得る。今後の調光イベントまたはオフ制御イベントのタイミング等の情報は、優先度が低い情報としてよい。例えば、３０分間にわたって最大強度でオンに制御して、例えば３０分後等の後続時点において２５％だけ強度を低減するように、制御可能なデバイス１６０２−１に指示する場合、最大強度オン制御コマンドのみが即座に送信される。調光の割合およびタイミングに関する情報の送信には、３０分間の余裕がある。
【０１９４】
転送データには、任意であるが、パリティビットおよび／またはＣＲＣ（巡回冗長検査）値等の、データ完全性メトリクスを含むとしてよい。図３１Ｂから図３１Ｄはさらに、欠落パルスの実装例を示す。図３１Ｂは、正側サイン波部分の上部分はゼロより大きい任意の電圧に限定されている、欠落パルス１７１２を示す。同様に、負側サイン波部分は、欠落パルスを形成するべく、ゼロ未満の任意の電圧に限定されているとしてよい。
【０１９５】
図３１Ｃは、正側サイン波部分の半分未満が除去されている、欠落パルス１７１４を示す。正側または負側のサイン波部分のうち除去される箇所については、図３１Ｃに示すように電圧をゼロに戻すとしてもよいし、または、ゼロでない電圧に戻すとしてもよい。図３１Ｄは、正側サイン波部分および負側サイン波部分両方の一部分が除去されている、欠落パルス１７１６を示す。図３１Ｄでは、正側または負側のサイン波部分それぞれのうち半分が除去されているように図示されているが、正側または負側のサイン波部分から除去する部分を半分より多くしてもよいし、少なくしてもよい。
【０１９６】
受信機は、パルスが欠落しているか否かを判断するべく、参照サイン波を生成するとしてよい。受信機は、受信した電力信号と参照サイン波との差異が、所定の期間にわたって、任意のパーセントよりも大きい場合、または、任意の絶対量より多い場合に、パルスが欠落していると判断してよい。受信機は、参照サイン波を生成する手間を省くために、パルスが欠落しているか否かを判断するための参照点を１以上構築するとしてもよい。
【０１９７】
例えば、参照点１７１８−１を、図３１Ａに示す正側サイン波部分について定義するとしてよい。参照点１７１８−１は、振幅情報を含んでおり、時間情報を含むとしてもよい。時間情報は、電圧波形１７００の任意の期間内のどの時点で振幅を測定するかを特定するとしてよい。例えば、任意の期間はそれぞれ、点１７１０−１のような、正側に向かうゼロクロス点において開始する期間である場合、参照点１７１８−１は、任意の期間の２５％の時点で測定を行うことを特定するとしてもよい。
【０１９８】
そのような任意の期間の２５％の時点とは、正側サイン波部分の真ん中に当たる。完全なパルスが見られるのは、入力電力信号が２５％の時点において参照点１７１８−１の電圧を超える場合である。欠落パルス１７０２がそうであるように、入力電力信号が２５％の時点において参照点１７１８−１の電圧を下回っている場合、欠落パルスが検出される。
【０１９９】
受信機は、期間内のどの時点において、電圧波形１７００が参照点１７１８−１の電圧を超えているか測定するとしてよい。この場合、参照点１７１８−１は時間情報を含む必要はない。完全なパルスであれば、電圧波形１７００は２５％の時点の近傍（２０％から３０％の間等）で参照点１７１８−１を越える。図３１Ａに示した正側欠落パルス１７０２の場合、電圧波形１７００は、欠落パルス期間全体にわたって、参照点１７１８−１を越えない。第２の欠落パルス１７０４等の負側欠落パルスについても、同様の参照点が定義され得る。
【０２００】
図３１Ｂに示す欠落パルス１７１２について、参照点１７１８−１と同様に、参照点１７１８−２を設定してよい。図３１Ｂの例では、完全なパルスの電圧と欠落パルスの電圧の差が小さくなっているので、参照点１７１８−２はより正確に定義しなければならない。このような欠落パルスの検出は、ノイズに起因するエラーにより影響されやすくなる。
【０２０１】
図３１Ｃおよび図３１Ｄに示す欠落パルス１７１４および１７１６について、参照点１７１８−３および１７１８−４を定義するとしてよい。参照点１７１８−３および１７１８−４は、欠落パルスの一部分が参照点１７１８−３および１７１８−４の電圧を越えるので、タイミング情報を含む。参照点１７１８−３および１７１８−４はこのため、電力信号の特定の領域で評価される。
【０２０２】
参照点１７１８−３は、参照点１７１８−３の電圧と、任意の期間を４つに分割して第２番目の部分で測定された値とを比較することを示すとしてよい。ここで、任意の期間は正側に向かうゼロクロス点１７１０−１から始まる期間と定義される。参照点１７１８−４は、参照点１７１８−４の電圧と、任意の期間を４つに分割して第４番目の部分で測定された値とを比較することを示すとしてよい。
【０２０３】
図３２は、ユーザインターフェース１７２０の一例を示す図である。ユーザインターフェース１７２０は、１以上のボタンを備えるとしてよい。例えば、ボタン１７２２−１、１７２２−２、１７２２−３、および１７２２−４（ボタン１７２２と総称する）を備えるとしてよい。ユーザは、ボタン１７２２のうち１つを押下することによって、所定の負荷の特性を選択することができる。ボタン１７２２および／またはユーザインターフェース１７２０の対応する領域は、各ボタン１７２２に対応付けられている機能を記述する指標を含むとしてよい。
【０２０４】
一例に過ぎないが、ボタン１７２２−１は完全なオンおよびオフの間でトグルされるとしてもよい。ボタン１７２２−２は、完全なオン状態を３０分間、続いて半分のオン状態を１５分、そしてオフ状態という制御を選択するとしてよい。ボタン１７２２−３は、４分の１のオン状態を３時間、続いてオフ状態という制御を選択するとしてよい。ボタン１７２２−４は、完全なオン状態を２時間、続いて４分の１のオン状態という順序を選択するとしてよい。ボタン１７２２の所定の特性は、ユーザインターフェース１７２０を介してユーザによって変更されるとしてもよいし、または、以下により詳細に説明するようにパラメータ制御モジュールを用いて変更するとしてもよい。ユーザインターフェース１７２０はさらに、キーパッド、ＬＣＤディスプレイ、ノブ、スイッチ、および／または、レバー等のインターフェース素子を備えるとしてよい。
【０２０５】
図３３Ａから図３３Ｃは、パラメータ制御モジュールの一例を示す機能ブロック図である。パラメータ制御モジュールによって、ユーザはボタンに対応付けられている機能を変更することができる。図３３Ａによると、パラメータ制御モジュール１７５０は、ディップスイッチ１７５２を備える。ディップスイッチ１７５２は、時間の長さおよび／または負荷を動作させる強度を選択するとしてよい。例えば、ディップスイッチ１７５２は、Ｍ個の強度のうち１以上およびＮ個の期間のうち１以上を選択するとしてよい。
【０２０６】
図３３Ｂによると、パラメータ制御モジュール１７６０は、１以上の電位差計１７６２を備える。電位差計１７６２は、負荷の動作期間および動作強度の微調整を可能とする。例えば、電位差計１７６２のうち１以上は、０％から１００％の間で強度を決定するとしてよく、電位差計１７６２のうち１以上は、０分から所定の上限までの間で時間を決定するとしてよい。
【０２０７】
図３３Ｃによると、パラメータ制御モジュール１７７０は、不揮発性ストレージ１７７２を備える。不揮発性ストレージ１７７２は、インストール時にプログラムされるとしてもよいし、または、ユーザインターフェースまたはコンピュータ制御によって更新されるとしてよい。パラメータ制御モジュール１７５０は、マスターコントローラ１６００−１、制御可能なデバイス１６０２−１、または、遠隔デバイスに設けられるとしてよい。
【０２０８】
パラメータ制御モジュール１７５０は、ユーザが選択する、予め設定されている負荷動作特性を含むとしてよい。不揮発性ストレージ１７７２は、フラッシュメモリカード等の取り外し可能なストレージを含むとしてよい。ユーザは、パラメータ制御モジュール１７７０から不揮発性ストレージ１７７２を取り外して、広く流通しているメモリカードコンピュータインターフェースを用いて内容を更新することができる。
【０２０９】
図３４Ａおよび図３５Ａは、可能な配線構造を示す図である。図３４Ａによると、マスターコントローラに対する利用可能な供給ラインは１つのみである。図３５Ａによると、マスターコントローラに対する利用可能な供給ラインは２つある。図３４Ｂおよび図３５Ｂは、これら２つの配線構造に対応する欠落パルス送信機の実装例を示す図である。
【０２１０】
図３４Ａを参照しつつ説明すると、欠落パルス送信機１８０２は第１の供給ラインを受け取る。欠落パルス送信機１８０２は、欠落パルスは例外として、第１の供給ラインを制御可能なデバイス１６０２−１に接続する。制御可能なデバイス１６０２−１は、第２の供給ラインを受け取る。図３４Ｂによると、欠落パルス送信機１８０２は、スイッチ１８０４と、制御モジュール１８０６と、電荷貯蔵モジュール１８０８を有する。スイッチ１８０４は、第１供給ラインを受け取り、制御可能なデバイス１６０２−１に電力を選択的に出力する。
【０２１１】
スイッチ１８０４は、トライアックまたはその他の任意の適切なデバイスを含むとしてよい。電荷貯蔵モジュール１８０８は、第１の供給ラインからの電荷を貯蔵する。電荷貯蔵モジュール１８０８は、制御モジュール１８０６に電力を供給すると共に、欠落パルス送信機１８０２の外部でも、マスターコントローラ１６００−１のほかの構成要素に電力を供給する。電荷貯蔵モジュール１８０８は、スイッチ１８０４が開放されて第１の供給ラインからの電流がスイッチ１８０４を介して流入しなくなると、電荷を受け取るとしてよい。
【０２１２】
スイッチ１８０４は、電荷貯蔵モジュール１８０８において一定の電荷レベルを維持するべく、電流を間欠的に中断して、電荷貯蔵モジュール１８０８に電荷を強制的に入れるとしてよい。このため、スイッチ１８０４は、１秒に１回等、定期的にパルスを除外するとしてよい。このような定期的に配置される欠落パルスはさらに、下流の構成要素の同期パルスとして機能するとしてよい。制御モジュール１８０６は、欠落パルスと入力電力信号とを同期化するべく、第１の供給ラインを受け取る。
【０２１３】
図３５Ａを参照しつつ説明すると、欠落パルス送信機１８２０は、第１および第２の供給ラインから電力を受け取る。欠落パルス送信機１８２０は、第１および第２の導体を介して、制御可能なデバイス１６０２−１に電力を選択的に与える。欠落パルス送信機１８２０は、導体のうち片方または両方を介して、制御可能なデバイス１６０２−１に対して欠落パルスを送信するとしてよい。
【０２１４】
図３５Ｂによると、欠落パルス送信機１８２０は、スイッチ１８２２および制御モジュール１８２４を備える。スイッチ１８２２は、第１および第２の供給ラインのうち一方を受け取る。スイッチ１８２２は、供給ラインからの電力を、制御可能デバイス１６０２−１に選択的に与える。制御モジュール１８２４は、第１および第２の供給ラインから電力を受け取って、スイッチ１８２２の動作を制御する。欠落パルス送信機１８２０内での第１および第２の供給ラインに対する接続を介して、マスターコントローラ１６００−１のほかの構成要素に電力を与える。
【０２１５】
図３６Ａおよび図３６Ｂは、制御可能なデバイスの一例を示す機能ブロック図である。図３６Ａによると、制御可能なデバイス１９００は、欠落パルス受信機１６４４、デバイス制御モジュール１６４２、負荷１６０４、および、調光モジュール１９０２を備える。例示に過ぎないが、欠落パルス受信機とデバイス制御モジュール１６４２との間には２つの接続が図示されている。
【０２１６】
この２つの接続はそれぞれ、電力および制御データを搬送するとしてよい。デバイス制御モジュール１６４２は、調光モジュール１９０２の動作を制御する。調光モジュール１９０２は、負荷１６０４に伝わる平均電力を低減する。図３６Ａには図示していないが、制御可能なデバイス１９００は、図３０に示すように、パラメータ制御モジュール１６４６および／またはコンピュータインターフェース１６４８を備えるとしてよい。
【０２１７】
図３６Ｂによると、制御可能なデバイス１９２０は、欠落パルス送受信機１９２２、デバイス制御モジュール１６４２、中断可能な調光モジュール１９２４、および、負荷１６０４を備える。中断可能な調光モジュール１９２４は、図３１Ａから図３１Ｄの電圧波形１７００のような、入力電圧波形の各パルスについてオフに制御することができる。この機能は、欠落パルス送受信機１９２２によって制御される。
【０２１８】
欠落パルス送受信機１９２２は、電圧波形１７００の特定パルスを、少なくとも部分的に、オフに制御するように中断可能な調光モジュール１９２４に対して指示することによって、マスターコントローラ１６００−１に対してデータを送ることができる。この動作は、マスターコントローラ１６００−１の受信機／電流検出器１６２２によって、中断可能な調光モジュール１９２４が中断したパルスにおける電流の減少として、観察され得る。このように、制御可能なデバイス１９２０とマスターコントローラ１６００−１の間では、双方向に通信が可能である。
【０２１９】
図３７は、デバイス制御モジュール１６４２の一例を示す機能ブロック図である。デバイス制御モジュール１６４２は、デバイス制御モジュール１６４２の構成要素に電力を供給する電源１９５０を備える。電源１９５０は、調節ＤＣ電源を有し、欠落パルス受信機１６４４または欠落パルス送受信機１９２２内に実装されるとしてよい。
【０２２０】
デバイス制御モジュール１６４２はさらに、欠落パルス受信機１６４４または欠落パルス送受信機１９２２から制御データを受信する。この制御データは、タイマ値格納モジュール１９５２およびレベル値格納モジュール１９５４に送られる。タイマ値格納モジュール１９５２は、タイマ１９５６が利用する値を格納する。
【０２２１】
さまざまな実装例によると、タイマ１９５６は負荷１６０４が最初にオンに制御されたときに動作し始める。タイマ１９５６は、タイマ値格納モジュール１９５２によって特定された第１の時間に到達すると、レベル値格納モジュール１９５４にインクリメント信号を送る。このインクリメント信号は、レベル値格納モジュール１９５４が次のレベル値を選択すべきであることを指し示す。
【０２２２】
レベル値は、レベル値格納モジュール１９５４からレベル制御モジュール１９５８へと与えられる。そしてレベル制御モジュール１９５８は、スイッチ１６４０、調光モジュール１９０２、または中断可能な調光モジュール１９２４を操作する。レベル制御モジュール１９５８は、オンおよびオフのいずれかを選択するとしてよく、または、オンおよびオフの間に設定されるさまざまな強度レベルを選択するとしてもよい。タイマ値格納モジュール１９５２およびレベル値格納モジュール１９５４は、入力制御信号によって選択される、ハードコードされた設定内容、または、事前にプログラミングされた設定内容を含むとしてよい。さらに、入力制御信号を介して、時間値データおよびレベル値データを受け取るとしてよい。
【０２２３】
タイマ値格納モジュール１９５２およびレベル値格納モジュール１９５４に格納される情報の量によって、負荷制御特性がどの程度複雑なのかが分かる。さまざまな実装例によると、レベル値格納モジュール１９５４は、タイマ値格納モジュール１９５２内の各格納位置に対する格納位置を含む。このように、タイマ１９５６がトラッキングする各期間は、レベル値格納モジュール１９５４に格納されるレベルに対応する。
【０２２４】
図３８は、取り付けプログラマ２００２の一例を示す機能ブロック図である。取り付けプログラマ２００２は、制御可能なデバイス１６０２の取り付け前に、制御可能なデバイス１６０２に値をプログラムするべく利用され得る。取り付けプログラマ２００２は、欠落パルスを送信することができる光のスイッチの取り付けを必要とすることなく、欠落パルスに基づいてデータを受信する制御可能なデバイスをプログラムするべく利用され得る。取り付けプログラマ２００２はさらに、光スイッチをトグルすることによってプログラムされ得る制御可能なデバイスをプログラムするべく利用されるとしてもよい。
【０２２５】
例えば、制御可能なデバイス１６０２が電球を備える場合、取り付けプログラマ２００２は、電球をソケットにはめ込む前に、電球にパラメータを格納し得る。制御可能なデバイス１６０２にプログラムされるパラメータには、時間および強度が含まれるとしてよい。例えば、制御可能なデバイス１６０２は、１００％の強度で１時間オンとなって、５０％の強度に移って１時間待ち、そしてオフになるようにプログラムされるとしてよい。この順序での制御は、制御可能なデバイス１６０２が取り付けられると、標準規格の光のスイッチから電力が供給されることによって、開始されるとしてよい。２時間後に制御可能なデバイス１６０２がオフに制御されると、上記の点灯制御順序を繰り返すべく、光のスイッチをトグルするとしてよい。
【０２２６】
その他の例を挙げると、台所に取り付けられる制御可能なデバイスに対するパラメータセットには、１００％の強度で２時間オンに制御された後、４０％等のより低い強度で１時間オンに制御されることが続く制御が含まれるとしてよい。別の例を挙げると、風呂場に取り付けられる場合のパラメータセットには、１００％の強度で１５分間オンに制御された後、４０％等のより低い強度で１５分間オンに制御されることが続く制御が含まれるとしてよい。
【０２２７】
取り付けプログラマ２００２は、制御可能なデバイス１６０２に複数のパラメータセットをプログラムするとしてよい。これらのパラメータセットは、制御可能なデバイス１６０２が取り付けられると、対応付けられた光スイッチを所定のパターンでトグルすることによって選択されるとしてよい。例えば、光スイッチをオンに制御して制御可能なデバイス１６０２に電力を供給することによって、第１のパラメータセットを選択するとしてよい。光スイッチを、オン、オフ、そしてすぐにオンに戻すように制御することによって、第２のパラメータセットを選択するとしてよい。高速にオン、オフ、オン、オフ、そしてオンに光スイッチを制御することによって、第３のパラメータセットを選択するとしてよい。その他のトグル方法は、既により詳細に説明しており、それらの方法を用いてパラメータセットを選択するとしてよい。
【０２２８】
取り付けプログラマ２００２は、制御可能なデバイス１６０２をプログラムすることに加えて、制御可能なデバイス１６０２の現在のプログラミング状態を読み出すこともできるとしてよい。この情報は、ユーザに対して表示されるとしてもよいし、取り付けプログラマ２００２内に格納されるとしてよい。プログラミング状態は、格納されると、他の制御可能なデバイスをプログラムするべく利用され得る。例えば、制御可能なデバイス１６０２が故障すると、新しい制御可能なデバイスを購入して、同じプログラミング状態にプログラムすることができる。
【０２２９】
取り付けプログラマ２００２は、欠落パルス送信機２００４を備える。欠落パルス送信機２００４は、１以上の供給ラインから電力を受け取り、制御可能なデバイス１６０２に電力を供給する。上述したように、欠落パルス送信機２００４は、制御可能なデバイス１６０２への電力の流入を一時的に中断または低減することによって、制御可能なデバイス１６０２に対してデータを送信できる。電源２００６は、供給ラインから電力を受け取り、取り付けプログラマ２００２の構成要素に電力を供給する。
【０２３０】
欠落パルス送信機２００４は、電力供給信号の１期間よりも長い時間にわたって、制御可能なデバイス１６０２への電力を中断することができるとしてよい。このようにして、欠落パルス送信機２００４は、ユーザが光スイッチをトグルすることによって生成するオン−オフのパターンと同様の、オン−オフのパターンを生成するべく利用され得る。このような構成とすることによって、取り付けプログラマ２００２は、図１３のプログラミングモジュール７５４、図１４のプログラミングモジュール８０４、および、図１６のプログラミングモジュール９０４のようなプログラミングモジュールを備える制御可能なデバイスをプログラムすることができる。
【０２３１】
取り付けプログラマ２００２は、制御モジュール２０１０を備える。制御モジュール２０１０は、欠落パルス送信機２００４にデータを送り、欠落パルス送信機２００４は制御可能なデバイス１６０２に送られる電力信号に対してデータを符号化する。制御モジュール２０１０は、ユーザ入力に基づいて、制御可能なデバイス１６０２に送信されるデータを決定する。ユーザ入力は、ユーザ入力モジュール２０１４から受信され得る。
【０２３２】
一例に過ぎないが、ユーザ入力モジュール２０１４は１つのボタンを有するとしてよい。このボタンは、制御可能なデバイス１６０２が取り付けプログラマ２００２に接続されると、押下されるとしてよい。さまざまなその他の実装例によると、ユーザ入力モジュール２０１４は複数のボタンを有するとしてよく、各ボタンは制御可能なデバイス１６０２に格納されるパラメータセットに対応する。ユーザ入力モジュール２０１４は、制御可能なデバイス１６０２にプログラムされるパラメータセットを、不揮発性メモリ２０２２から、選択するべく利用されるとしてよい。
【０２３３】
ユーザ入力モジュール２０１４によってユーザはさらに、制御可能なデバイス１６０２にプログラミングされる、強度および時間といった値を特定することができるようになるとしてよい。ユーザが入力する値、または、不揮発性メモリ２０２２に格納されている値は、ディスプレイ２０１８に表示されるとしてよい。さまざまな実装例によると、コンピュータインターフェース２０２６は、コンピュータ、ハンドヘルドデバイス等と通信するとしてよい。制御モジュール２０１０は、コンピュータインターフェース２０２６を介して、制御可能なデバイス１６０２に格納されるパラメータを受け取るとしてよい。
【０２３４】
コンピュータインターフェース２０２６およびユーザ入力モジュール２０１４から受信する値は、後に使用されるべく、不揮発性メモリ２０２２に格納されるとしてよい。取り付けプログラマ２００２はさらに、受信機／電流検出器２０３０を備えるとしてよい。受信機／電流検出器２０３０は、欠落パルス送信機２００４から制御可能なデバイス１６０２に送られる電力信号を受け取る。
【０２３５】
制御可能なデバイス１６０２は、制御可能なデバイス１６０２の電力消費を中断することによって、取り付けプログラマ２００２に対して情報を通信するとしてよい。このように電力消費が中断される様子は、受信機／電流検出器２０３０によって検出される。制御可能なデバイス１６０２は、例えば、現在格納しているパラメータセットを取り付けプログラマ２００２に与えるとしてよい。制御モジュール２０１０は、後に使用するべく、このパラメータセットを不揮発性メモリ２０２２に格納するとしてよい。
【０２３６】
当業者には、本開示における広範囲の教示がさまざまな形式で実現され得ることが、上記の説明から明らかである。このため、当業者であれば添付図面、明細書および特許請求の範囲に基づき他の変形例に想到することができるので、本開示は具体例を含んではいるが、本開示の真の範囲はそれらの具体例に限定されるべきではない。
【図１】
2010514141.tif 000002
【図２】
2010514141.tif 000003
【図３】
2010514141.tif 000004
【図４】
2010514141.tif 000005
【図５】
2010514141.tif 000006
【図６】
2010514141.tif 000007
【図７】
2010514141.tif 000008
【図８】
2010514141.tif 000009
【図９】
2010514141.tif 000010
【図１０】
2010514141.tif 000011
【図１１】
2010514141.tif 000012
【図１２】
2010514141.tif 000013
【図１３】
2010514141.tif 000014
【図１４】
2010514141.tif 000015
【図１５】
2010514141.tif 000016
【図１６】
2010514141.tif 000017
【図１７】
2010514141.tif 000018
【図１８】
2010514141.tif 000019
【図１９】
2010514141.tif 000020
【図２０】
2010514141.tif 000021
【図２１】
2010514141.tif 000022
【図２２】
2010514141.tif 000023
【図２３】
2010514141.tif 000024
【図２４】
2010514141.tif 000025
【図２５】
2010514141.tif 000026
【図２６】
2010514141.tif 000027
【図２７】
2010514141.tif 000028
【図２８】
2010514141.tif 000029
【図２９】
2010514141.tif 000030
【図３０】
2010514141.tif 000031
【図３０Ａ】
2010514141.tif 000032
【図３０Ｂ】
2010514141.tif 000033
【図３１Ａ】
2010514141.tif 000034
【図３１Ｂ】
2010514141.tif 000035
【図３１Ｃ】
2010514141.tif 000036
【図３１Ｄ】
2010514141.tif 000037
【図３２】
2010514141.tif 000038
【図３３Ａ】
2010514141.tif 000039
【図３３Ｂ】
2010514141.tif 000040
【図３３Ｃ】
2010514141.tif 000041
【図３４Ａ】
2010514141.tif 000042
【図３４Ｂ】
2010514141.tif 000043
【図３５Ａ】
2010514141.tif 000044
【図３５Ｂ】
2010514141.tif 000045
【図３６Ａ】
2010514141.tif 000046
【図３６Ｂ】
2010514141.tif 000047
【図３７】
2010514141.tif 000048
【図３８】
2010514141.tif 000049
【手続補正書】
【提出日】平成21年8月24日(2009.8.24)
【手続補正１】
【補正対象書類名】特許請求の範囲
【補正対象項目名】全文
【補正方法】変更
【補正の内容】
【特許請求の範囲】
【請求項１】
制御可能な電球であって、
電力信号を受信する、前記制御可能な電球の電気接続部と、
前記電気接続部を介して受信する前記電力信号によって電力を供給され、前記電力信号のオン／オフ変調に基づいて制御パラメータを決定し、前記電力信号がオンの間に前記制御パラメータに基づいて制御信号を生成する、前記制御可能な電球の受信機モジュールと、
出力電力信号を出力し、前記制御信号に基づいて前記出力電力信号を低減する、前記制御可能な電球の電子スイッチと、
前記制御可能な電球の半透明筐体と、
前記半透明筐体内に収納され、前記出力電力信号を受信する、前記制御可能な電球の発光素子と
を備える制御可能な電球。
【請求項２】
前記オン／オフ変調は、所定の時間にわたる、前記電力信号の存在および前記電力信号の不在のうち一方のカウントを含む
請求項１に記載の制御可能な電球。
【請求項３】
前記オン／オフ変調は、周期的なサンプリング間隔で取得されるバイナリデータを含み、
第１のバイナリ状態は前記電力信号の存在に対応し、第２のバイナリ状態は前記電力信号の不在に対応する
請求項１に記載の制御可能な電球。
【請求項４】
前記オン／オフ変調は、前記電力信号の存在および前記電力信号の不在のうち一方の期間によって決まるバイナリデータを含み、
第１のバイナリ状態は所定の長さよりも短い期間に対応し、第２のバイナリ状態は前記所定の長さよりも長い期間に対応する
請求項１に記載の制御可能な電球。
【請求項５】
前記受信機モジュールは、前記オン／オフ変調がプログラミング開始シーケンスを示した後で、前記制御パラメータを決定する
請求項１に記載の制御可能な電球。
【請求項６】
前記プログラミング開始シーケンスは、所定の時間内に実行される所定のオン／オフシーケンスを含む
請求項５に記載の制御可能な電球。
【請求項７】
前記電子スイッチは、前記制御信号を受信すると、前記出力電力信号を略ゼロまで低減する
請求項１に記載の制御可能な電球。
【請求項８】
前記電子スイッチは、前記制御信号を受信すると、前記出力電力信号を調光値まで低減する
請求項１に記載の制御可能な電球。
【請求項９】
前記受信機モジュールは、電力ラインキャリア受信機モジュールを有しており、
前記電力ラインキャリア受信機モジュールは、前記電力信号に基づいてデータを受信し、第１のアドレスに対応付けられており、前記第１のアドレスおよびグローバルアドレスのうち一方にアドレス指定されたコマンドを受け入れて、
前記制御パラメータは前記第１のアドレスを含み、前記受信機モジュールは前記データに基づいて前記制御信号を生成する
請求項１に記載の制御可能な電球。
【請求項１０】
前記電力ラインキャリア受信機モジュールは、前記オン／オフ変調に基づく動作を実行する
請求項９に記載の制御可能な電球。
【請求項１１】
前記動作は、アドレスリセット動作、アドレス更新動作、接続ブロードキャスト動作、および、アドレス送信動作のうち少なくとも１つである
請求項１０に記載の制御可能な電球。
【請求項１２】
前記受信機モジュールはさらに、前記電力信号が受信された後でカウントを開始するタイミングモジュールを有し、
前記制御パラメータは、所定の値を含み、
前記受信機モジュールは、前記タイミングモジュールが前記所定の値に到達すると、前記制御信号を生成する
請求項１に記載の制御可能な電球。
【請求項１３】
前記受信機モジュールは、プログラミングモードが開始された後に前記電力信号がオンとなっている期間の長さに基づいて前記所定の値を設定する
請求項１２に記載の制御可能な電球。
【請求項１４】
前記受信機モジュールは、前記タイマモジュールが前記所定の値に到達する前に前記電力信号がオフに制御されると、前記所定の値を小さくする
請求項１２に記載の制御可能な電球。
【請求項１５】
前記受信機モジュールは、前記タイマモジュールが前記所定の値に到達した後の所定の期間内に、前記電力信号がオフ−オンの順に制御されると、前記所定の値を大きくする
請求項１４に記載の制御可能な電球。
【請求項１６】
前記受信機モジュールは、前記タイマモジュールが前記所定の値に到達する前に、所定の期間内で前記電力信号がオフ−オン−オフの順に制御されると、前記所定の値を小さくする
請求項１２に記載の制御可能な電球。
【請求項１７】
前記受信機モジュールは、前記タイマモジュールが前記所定の値に到達した後の所定の期間内に、前記電力信号がオフ−オン−オフ−オンの順に制御されると、前記所定の値を大きくする
請求項１６に記載の制御可能な電球。
【請求項１８】
前記電気接続部は、伝導性の雄ネジ部および伝導性の端部を有する
請求項１に記載の制御可能な電球。
【請求項１９】
前記発光素子は、金属フィラメントを有する
請求項１に記載の制御可能な電球。
【手続補正２】
【補正対象書類名】明細書
【補正対象項目名】０２３６
【補正方法】変更
【補正の内容】
【０２３６】
当業者には、本開示における広範囲の教示がさまざまな形式で実現され得ることが、上記の説明から明らかである。このため、当業者であれば添付図面、明細書および特許請求の範囲に基づき他の変形例に想到することができるので、本開示は具体例を含んではいるが、本開示の真の範囲はそれらの具体例に限定されるべきではない。
本願明細書には、制御可能な電球アダプタであって、照明固定器具から電力信号を受信する、前記制御可能な電球アダプタの第１の電気接続部と、前記第１の電気接続部を介して受信する前記電力信号によって電力を供給され、前記電力信号のオン／オフ変調に基づいて制御パラメータを決定し、前記電力信号がオンの間に前記制御パラメータに基づいて制御信号を選択的に生成する、前記制御可能な電球アダプタの受信機モジュールと、出力電力信号を出力し、前記制御信号に基づいて前記出力電力信号を低減する、前記制御可能な電球アダプタの電子スイッチと、電球が挿入されており、前記電球に前記出力電力信号を与える、前記制御可能な電球アダプタの第２の電気接続部とを備える制御可能な電球アダプタが記載されている。
本願明細書には、制御可能な照明固定器具であって、電力信号を受信する、前記制御可能な照明固定器具の第１の電気接続部と、前記第１の電気接続部を介して受信する前記電力信号によって電力を供給され、前記電力信号のオン／オフ変調に基づいて制御パラメータを決定し、前記電力信号がオンの間に前記制御パラメータに基づいて制御信号を選択的に生成する、前記制御可能な照明固定器具の受信機モジュールと、出力電力信号を出力し、前記制御信号に基づいて前記出力電力信号を低減する、前記制御可能な照明固定器具の電子スイッチと、電球が挿入されており、前記電球に前記出力電力信号を与える、前記制御可能な照明固定器具の第２の電気接続部とを備える制御可能な照明固定器具が記載されている。
本願明細書には、制御可能な電球アダプタであって、照明固定器具から電力信号を受信する、前記制御可能な電球アダプタの第１の電気接続部と、前記第１の電気接続部を介して受信する前記電力信号によって電力を供給され、前記電力信号のオン／オフ変調に基づいて制御パラメータを決定し、前記電力信号がオンの間に前記制御パラメータに基づいて制御信号を選択的に生成する、前記制御可能な電球アダプタの受信機モジュールと、出力電力信号を出力し、前記制御信号に基づいて前記出力電力信号を低減する、前記制御可能な電球アダプタの電子スイッチと、電球が挿入されており、前記電球に前記出力電力信号を与える、前記制御可能な電球アダプタの第２の電気接続部とを備える制御可能な電球アダプタが記載されている。
本願明細書には、負荷の電力消費を調節する制御可能なデバイスについての制御データを生成する制御モジュールと、周期的な電力信号を受信し、前記制御可能なデバイスに対して前記周期的な電力信号に基づいて出力電力信号を送信し、前記周期的な電力信号のゼロクロス点同士の間で、前記出力電力信号の信号振幅および電力レベルのうち少なくとも一方を選択的に低減することによって、前記出力電力信号に前記制御データを符号化する、欠落パルス送信機とを備えるマスターコントローラが記載されている。
本願明細書には、第１の電力信号を受信し、前記第１の電力信号のゼロクロス点同士の間での、前記第１の電力信号の信号振幅および電力レベルのうち少なくとも一方の減少を検出することによって、前記第１の電力信号内の制御データを復号する、欠落パルス受信機と、前記制御データを格納し、前記制御データに基づいて制御信号を生成する、制御モジュールと、前記第１の電力信号および前記制御信号に基づいて、負荷に対する負荷電力信号を調整するスイッチとを備える、制御可能なデバイスが記載されている。
本願明細書には、負荷の電力消費を調整する制御可能なデバイスについて、タイマ値および電力レベル値のうち少なくとも一方を含むプログラミングデータを生成する制御モジュールと、周期的な電力信号を受信し、前記制御可能なデバイスに対して前記周期的な電力信号に基づいて出力電力信号を送信して、前記周期的な電力信号のゼロクロス点同士の間で、前記出力電力信号の信号振幅および電力レベルのうち少なくとも一方を選択的に低減することによって、前記出力電力信号に前記プログラミングデータを符号化する欠落パルス送信機とを備える、取り付けプログラマが記載されている。